(57)【要約】  本願の実施例はリソース構成方法、端末装置及びネットワーク装置に関する。該方法は、ネットワーク装置によって割り当てられた複数の伝送リソースブロックの周波数領域オフセットを決定することであって、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであることと、該周波数領域オフセットに基づいて該複数の伝送リソースブロックを決定することと、を含む。本願の実施例のリソース構成方法、端末装置及びネットワーク装置において、構成方式はネットワーク装置のスケジューリングが容易になり、且つ該端末装置が周波数領域ダイバーシティ利得を取得できるとともに、伝送リソースの断片化も回避する。
2021503210.tif 000002
【特許請求の範囲】
【請求項１】
リソース構成方法であって、
ネットワーク装置によって割り当てられた複数の伝送リソースブロックの周波数領域オフセットを決定することであって、前記周波数領域オフセットが第１伝送リソースブロックと第２伝送リソースブロックとの間の周波数領域オフセットであり、前記第１伝送リソースブロックと前記第２伝送リソースブロックとが前記複数の伝送リソースブロックのうちのいずれか２つの時間領域における隣接するリソースブロックであることと、
前記周波数領域オフセットに基づいて前記複数の伝送リソースブロックを決定することと、を含むことを特徴とする、前記リソース構成方法。
【請求項２】
前記第１伝送リソースブロックが前記複数の伝送リソースブロックのうちの時間順序で配列されている際の奇数番目の伝送リソースブロックであり、前記第２伝送リソースブロックが時間領域において前記第１伝送リソースブロックの後に位置することを特徴とする
請求項１に記載のリソース構成方法。
【請求項３】
前記周波数領域オフセットが前記第１伝送リソースブロックの周波数領域での開始位置と前記第２伝送リソースブロックの周波数領域での開始位置との差であることを特徴とする
請求項１又は２に記載のリソース構成方法。
【請求項４】
前記第１伝送リソースブロックと前記第２伝送リソースブロックとがそれぞれ１つのサブフレーム又は１つのマイクロサブフレームを占有し、又は
前記第１伝送リソースブロックが１つのサブフレームの第１部分を占有し、且つ前記第２伝送リソースブロックが前記１つのサブフレームの第２部分を占有し、又は
前記第１伝送リソースブロックが１つのマイクロサブフレームの第１部分を占有し、且つ前記第２伝送リソースブロックが前記１つのマイクロサブフレームの第２部分を占有することを特徴とする
請求項１〜３のいずれか１項に記載のリソース構成方法。
【請求項５】
ネットワーク装置によって割り当てられた複数の伝送リソースブロックの周波数領域オフセットを決定することは、
前記ネットワーク装置から送信された前記周波数領域オフセットを受信することを含むことを特徴とする
請求項１〜４のいずれか１項に記載のリソース構成方法。
【請求項６】
前記ネットワーク装置から送信された前記周波数領域オフセットを受信することは、
前記ネットワーク装置から送信された第１構成メッセージを受信することを含み、前記第１構成メッセージが前記周波数領域オフセットを示すことに用いられ、前記第１構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項５に記載のリソース構成方法。
【請求項７】
前記方法リソース構成方法は、更に、
リソース領域パラメータを決定することを含み、前記リソース領域パラメータが前記複数の伝送リソースブロックのうちの少なくとも１つの伝送リソースブロックの占有可能な周波数領域範囲を示すことに用いられ、前記少なくとも１つの伝送リソースブロックが前記第１伝送リソースブロック又は前記第２伝送リソースブロックを含むことを特徴とする
請求項１〜６のいずれか１項に記載のリソース構成方法。
【請求項８】
リソース領域パラメータを決定することは、
前記端末装置から送信された前記リソース領域パラメータを受信することを含むことを特徴とする
請求項７に記載のリソース構成方法。
【請求項９】
前記端末装置から送信された前記リソース領域パラメータを受信することは、
前記ネットワーク装置から送信された第２構成情報を受信することを含み、前記第２構成メッセージが前記リソース領域パラメータを示すことに用いられ、前記第２構成メッセージがネットワークブロードキャストメッセージ、ネットワークシステムメッセージ、ＲＲＣメッセージ、ＭＡＣ  ＣＥ及びＤＣＩのうちの少なくとも１つであることを特徴とする
請求項８に記載のリソース構成方法。
【請求項１０】
前記リソース領域パラメータで示す前記少なくとも１つの伝送リソースブロックの占有可能な周波数領域範囲が連続しないことを特徴とする
請求項７〜９のいずれか１項に記載のリソース構成方法。
【請求項１１】
リソース構成方法であって、
端末装置に割り当てた複数の伝送リソースブロックの周波数領域オフセットを決定することであって、前記周波数領域オフセットが第１伝送リソースブロックと第２伝送リソースブロックとの間の周波数領域オフセットであり、前記第１伝送リソースブロックと前記第２伝送リソースブロックとが前記複数の伝送リソースブロックのうちのいずれか２つの時間領域における隣接するリソースブロックであることと、
前記端末装置へ前記周波数領域オフセットを送信することと、を含むことを特徴とする、前記リソース構成方法。
【請求項１２】
前記第１伝送リソースブロックが前記複数の伝送リソースブロックのうちの時間順序で配列されている際の奇数番目の伝送リソースブロックであり、前記第２伝送リソースブロックが時間領域において前記第１伝送リソースブロックの後に位置することを特徴とする
請求項１１に記載のリソース構成方法。
【請求項１３】
前記周波数領域オフセットが前記第１伝送リソースブロックの周波数領域での開始位置と前記第２伝送リソースブロックの周波数領域での開始位置との差であることを特徴とする
請求項１１又は１２に記載のリソース構成方法。
【請求項１４】
前記第１伝送リソースブロックと前記第２伝送リソースブロックとがそれぞれ１つのサブフレーム又は１つのマイクロサブフレームを占有し、又は
前記第１伝送リソースブロックが１つのサブフレームの第１部分を占有し、且つ前記第２伝送リソースブロックが前記１つのサブフレームの第２部分を占有し、又は
前記第１伝送リソースブロックが１つのマイクロサブフレームの第１部分を占有し、且つ前記第２伝送リソースブロックが前記１つのマイクロサブフレームの第２部分を占有することを特徴とする
請求項１１〜１３のいずれか１項に記載のリソース構成方法。
【請求項１５】
前記端末装置へ前記周波数領域オフセットを送信することは、
前記端末装置へ第１構成メッセージを送信することを含み、前記第１構成メッセージが前記周波数領域オフセットを示すことに用いられ、前記第１構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項１１〜１４のいずれか１項に記載のリソース構成方法。
【請求項１６】
前記方法リソース構成方法は、更に、
前記端末装置へリソース領域パラメータを送信することを含み、前記リソース領域パラメータが前記複数の伝送リソースブロックのうちの少なくとも１つの伝送リソースブロックの占有可能な周波数領域範囲を示すことに用いられ、前記少なくとも１つの伝送リソースブロックが前記第１伝送リソースブロック又は前記第２伝送リソースブロックを含むことを特徴とする
請求項１１〜１５のいずれか１項に記載のリソース構成方法。
【請求項１７】
前記端末装置へリソース領域パラメータを送信することは、
前記端末装置へ第２構成メッセージを送信することを含み、前記第２構成メッセージが前記リソース領域パラメータを示すことに用いられ、前記第２構成メッセージがネットワークブロードキャストメッセージ、ネットワークシステムメッセージ、ＲＲＣメッセージ、ＭＡＣ  ＣＥ及びＤＣＩのうちの少なくとも１つであることを特徴とする
請求項１６に記載のリソース構成方法。
【請求項１８】
前記リソース領域パラメータで示す前記少なくとも１つの伝送リソースブロックの占有可能な周波数領域範囲が連続しないことを特徴とする
請求項１６又は１７に記載のリソース構成方法。
【請求項１９】
リソース構成方法であって、
ネットワーク装置によって割り当てられた複数の伝送リソースブロックのうちの少なくとも１つの伝送リソースブロックの占有可能な周波数領域範囲を示すためのリソース領域パラメータを決定することと、
前記リソース領域パラメータに基づいて前記複数の伝送リソースブロックを決定することと、を含むことを特徴とする、前記リソース構成方法。
【請求項２０】
リソース領域パラメータを決定することは、
前記端末装置から送信された前記リソース領域パラメータを受信することを含むことを特徴とする
請求項１９に記載のリソース構成方法。
【請求項２１】
前記端末装置から送信された前記リソース領域パラメータを受信することは、
前記ネットワーク装置から送信された構成情報を受信することを含み、前記構成メッセージが前記リソース領域パラメータを示すことに用いられ、前記構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項２０に記載のリソース構成方法。
【請求項２２】
前記リソース領域パラメータで示す前記少なくとも１つの伝送リソースブロックの占有可能な周波数領域範囲が連続しないことを特徴とする
請求項１９〜２１のいずれか１項に記載のリソース構成方法。
【請求項２３】
リソース構成方法であって、
端末装置のリソース領域パラメータを決定し、前記リソース領域パラメータが端末装置に割り当てた複数の伝送リソースブロックのうちの少なくとも１つの伝送リソースブロックの占有可能な周波数領域範囲を示すことに用いられることと、
前記端末装置へ前記リソース領域パラメータを送信することと、を含むことを特徴とする、前記リソース構成方法。
【請求項２４】
前記端末装置へ前記リソース領域パラメータを送信することは、
前記端末装置へ構成メッセージを送信することを含み、前記第２構成メッセージが前記リソース領域パラメータを示すことに用いられ、前記構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項２３に記載のリソース構成方法。
【請求項２５】
前記リソース領域パラメータで示す前記少なくとも１つの伝送リソースブロックの占有可能な周波数領域範囲が連続しないことを特徴とする
請求項２３又は２４に記載のリソース構成方法。
【請求項２６】
端末装置であって、
ネットワーク装置によって割り当てられた複数の伝送リソースブロックの周波数領域オフセットを決定するように構成される決定ユニットであって、前記周波数領域オフセットが第１伝送リソースブロックと第２伝送リソースブロックとの間の周波数領域オフセットであり、前記第１伝送リソースブロックと前記第２伝送リソースブロックとが前記複数の伝送リソースブロックのうちのいずれか２つの時間領域における隣接するリソースブロックである決定ユニットと、
更に、前記周波数領域オフセットに基づいて前記複数の伝送リソースブロックを決定するように構成される前記決定ユニットと、を備えることを特徴とする、前記端末装置。
【請求項２７】
前記第１伝送リソースブロックが前記複数の伝送リソースブロックのうちの時間順序で配列されている際の奇数番目の伝送リソースブロックであり、前記第２伝送リソースブロックが時間領域において前記第１伝送リソースブロックの後に位置することを特徴とする
請求項２６に記載の端末装置。
【請求項２８】
前記周波数領域オフセットが前記第１伝送リソースブロックの周波数領域での開始位置と前記第２伝送リソースブロックの周波数領域での開始位置との差であることを特徴とする
請求項２６又は２７に記載の端末装置。
【請求項２９】
前記第１伝送リソースブロックと前記第２伝送リソースブロックとがそれぞれ１つのサブフレーム又は１つのマイクロサブフレームを占有し、又は
前記第１伝送リソースブロックが１つのサブフレームの第１部分を占有し、且つ前記第２伝送リソースブロックが前記１つのサブフレームの第２部分を占有し、又は
前記第１伝送リソースブロックが１つのマイクロサブフレームの第１部分を占有し、且つ前記第２伝送リソースブロックが前記１つのマイクロサブフレームの第２部分を占有することを特徴とする
請求項２６〜２８のいずれか１項に記載の端末装置。
【請求項３０】
前記端末装置は、更に、
前記ネットワーク装置から送信された前記周波数領域オフセットを受信するように構成される受信ユニットを備えることを特徴とする
請求項２６〜２９のいずれか１項に記載の端末装置。
【請求項３１】
前記受信ユニットは、具体的に、
前記ネットワーク装置から送信された第１構成メッセージを受信することに用いられ、前記第１構成メッセージが前記周波数領域オフセットを示すことに用いられ、前記第１構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項３０に記載の端末装置。
【請求項３２】
前記決定ユニットは、更に、
リソース領域パラメータを決定することに用いられ、前記リソース領域パラメータが前記複数の伝送リソースブロックのうちの少なくとも１つの伝送リソースブロックの占有可能な周波数領域範囲を示すことに用いられ、前記少なくとも１つの伝送リソースブロックが前記第１伝送リソースブロック又は前記第２伝送リソースブロックを含むことを特徴とする
請求項２６〜３１のいずれか１項に記載の端末装置。
【請求項３３】
前記端末装置は、更に、
前記端末装置から送信された前記リソース領域パラメータを受信するように構成される受信ユニットを備えることを特徴とする
請求項３２に記載の端末装置。
【請求項３４】
前記受信ユニットは、具体的に、
前記ネットワーク装置から送信された第２構成情報を受信することに用いられ、前記第２構成メッセージが前記リソース領域パラメータを示すことに用いられ、前記第２構成メッセージがネットワークブロードキャストメッセージ、ネットワークシステムメッセージ、ＲＲＣメッセージ、ＭＡＣ  ＣＥ及びＤＣＩのうちの少なくとも１つであることを特徴とする
請求項３３に記載の端末装置。
【請求項３５】
前記リソース領域パラメータで示す前記少なくとも１つの伝送リソースブロックの占有可能な周波数領域範囲が連続しないことを特徴とする
請求項３２〜３４のいずれか１項に記載の端末装置。
【請求項３６】
ネットワーク装置であって、
端末装置に割り当てた複数の伝送リソースブロックの周波数領域オフセットを決定するように構成される決定ユニットであって、前記周波数領域オフセットが第１伝送リソースブロックと第２伝送リソースブロックとの間の周波数領域オフセットであり、前記第１伝送リソースブロックと前記第２伝送リソースブロックとが前記複数の伝送リソースブロックのうちのいずれか２つの時間領域における隣接するリソースブロックである決定ユニットと、
前記端末装置へ前記周波数領域オフセットを送信するように構成される送信ユニットと、を備えることを特徴とする、前記ネットワーク装置。
【請求項３７】
前記第１伝送リソースブロックが前記複数の伝送リソースブロックのうちの時間順序で配列されている際の奇数番目の伝送リソースブロックであり、前記第２伝送リソースブロックが時間領域において前記第１伝送リソースブロックの後に位置することを特徴とする
請求項３６に記載のネットワーク装置。
【請求項３８】
前記周波数領域オフセットが前記第１伝送リソースブロックの周波数領域での開始位置と前記第２伝送リソースブロックの周波数領域での開始位置との差であることを特徴とする
請求項３６又は３７に記載のネットワーク装置。
【請求項３９】
前記第１伝送リソースブロックと前記第２伝送リソースブロックとがそれぞれ１つのサブフレーム又は１つのマイクロサブフレームを占有し、又は
前記第１伝送リソースブロックが１つのサブフレームの第１部分を占有し、且つ前記第２伝送リソースブロックが前記１つのサブフレームの第２部分を占有し、又は
前記第１伝送リソースブロックが１つのマイクロサブフレームの第１部分を占有し、且つ前記第２伝送リソースブロックが前記１つのマイクロサブフレームの第２部分を占有することを特徴とする
請求項３６〜３８のいずれか１項に記載のネットワーク装置。
【請求項４０】
前記送信ユニットは、具体的に、
前記端末装置へ第１構成メッセージを送信することに用いられ、前記第１構成メッセージが前記周波数領域オフセットを示すことに用いられ、前記第１構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項３６〜３９のいずれか１項に記載のネットワーク装置。
【請求項４１】
前記送信ユニットは、更に、
前記端末装置へリソース領域パラメータを送信することに用いられ、前記リソース領域パラメータが前記複数の伝送リソースブロックのうちの少なくとも１つの伝送リソースブロックの占有可能な周波数領域範囲を示すことに用いられ、前記少なくとも１つの伝送リソースブロックが前記第１伝送リソースブロック又は前記第２伝送リソースブロックを含むことを特徴とする
請求項３６〜４０のいずれか１項に記載のネットワーク装置。
【請求項４２】
前記送信ユニットは、具体的に、
前記端末装置へ第２構成メッセージを送信することに用いられ、前記第２構成メッセージが前記リソース領域パラメータを示すことに用いられ、前記第２構成メッセージがネットワークブロードキャストメッセージ、ネットワークシステムメッセージ、ＲＲＣメッセージ、ＭＡＣ  ＣＥ及びＤＣＩのうちの少なくとも１つであることを特徴とする
請求項４１に記載のネットワーク装置。
【請求項４３】
前記リソース領域パラメータで示す前記少なくとも１つの伝送リソースブロックの占有可能な周波数領域範囲が連続しないことを特徴とする
請求項４１又は４２に記載のネットワーク装置。
【請求項４４】
端末装置であって、
ネットワーク装置によって割り当てられた複数の伝送リソースブロックのうちの少なくとも１つの伝送リソースブロックの占有可能な周波数領域範囲を示すためのリソース領域パラメータを決定するように構成される決定ユニットと、
更に、前記リソース領域パラメータに基づいて前記複数の伝送リソースブロックを決定するように構成される前記決定ユニットと、を備えることを特徴とする、前記端末装置。
【請求項４５】
前記端末装置は、更に、
前記端末装置から送信された前記リソース領域パラメータを受信するように構成される受信ユニットを備えることを特徴とする
請求項４４に記載の端末装置。
【請求項４６】
前記受信ユニットは、具体的に、
前記ネットワーク装置から送信された構成情報を受信することに用いられ、前記構成メッセージが前記リソース領域パラメータを示すことに用いられ、前記構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項４５に記載の端末装置。
【請求項４７】
前記リソース領域パラメータで示す前記少なくとも１つの伝送リソースブロックの占有可能な周波数領域範囲が連続しないことを特徴とする
請求項４４〜４６のいずれか１項に記載の端末装置。
【請求項４８】
ネットワーク装置であって、
端末装置のリソース領域パラメータを決定するように構成される決定ユニットであって、前記リソース領域パラメータが端末装置に割り当てた複数の伝送リソースブロックのうちの少なくとも１つの伝送リソースブロックの占有可能な周波数領域範囲を示すことに用いられる決定ユニットと、
前記端末装置へ前記リソース領域パラメータを送信するように構成される送信ユニットと、を備えることを特徴とする、前記ネットワーク装置。
【請求項４９】
前記送信ユニットは、具体的に、
前記端末装置へ構成メッセージを送信することに用いられ、前記第２構成メッセージが前記リソース領域パラメータを示すことに用いられ、前記構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項４８に記載のネットワーク装置。
【請求項５０】
前記リソース領域パラメータで示す前記少なくとも１つの伝送リソースブロックの占有可能な周波数領域範囲が連続しないことを特徴とする
請求項４８又は４９に記載のネットワーク装置。
【発明の詳細な説明】
【技術分野】
【０００１】
本願は通信分野に関し、特にリソース構成方法、端末装置及びネットワーク装置に関する。
【背景技術】
【０００２】
ロングタームエボリューション（ＬＴＥ：ｌｏｎｇ  ｔｅｒｍ  ｅｖｏｌｕｔｉｏｎ）システムにおいて、アップリンク伝送（例えば、物理アップリンク共有チャネル（ＰＵＳＣＨ：ｐｈｙｓｉｃａｌ  ｕｐｌｉｎｋ  ｓｈａｒｅｄ  ｃｈａｎｎｅｌ）の伝送）に周波数領域周波数ホッピングを導入する目的は、主に、現在の端末装置が周波数領域ダイバーシティ利得を取得できることと、他の端末装置又はセルの干渉をランダム化することとである。
【０００３】
しかしながら、新無線（ＮＲ：ｎｅｗ  ｒａｄｉｏ）システムにおけるＰＵＳＣＨ設計において、依然としてＬＴＥと類似する設計を用いれば、周波数ホッピング関数によって決定された周波数領域リソースの断片化及び基地局のスケジューリングが極めて複雑であるという欠点がある。同時に、ＬＴＥシステムと異なるため、ＮＲでは異なる端末装置の復調用参照信号（ＤＭＲＳ：Ｄｅｍｏｄｕｌａｔｉｏｎ  Ｒｅｆｅｒｅｎｃｅ  Ｓｉｇｎａｌ）の密度と位置が異なる恐れがある。従って、ランダム周波数ホッピングの方式を用いれば、異なる端末装置が同じ位置で送信を実行する恐れがあり、ＤＭＲＳポートの直交化を実現することが困難である。
【発明の概要】
【発明が解決しようとする課題】
【０００４】
本願は該端末装置が周波数領域ダイバーシティ利得を取得できるとともに、伝送リソースの断片化も回避するリソース構成方法、端末装置及びネットワーク装置を提供する。
【課題を解決するための手段】
【０００５】
第１態様に係るリソース構成方法であって、ネットワーク装置によって割り当てられた複数の伝送リソースブロックの周波数領域オフセットを決定することであって、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであることと、該周波数領域オフセットに基づいて該複数の伝送リソースブロックを決定することと、を含む。
【０００６】
従って、本願の実施例のリソース構成方法によれば、端末装置はネットワーク装置によって割り当てられた複数の伝送リソースブロックのうちのいずれか２つの隣接する伝送リソースブロック間の周波数領域オフセットを決定し、該周波数領域オフセットに基づいて該複数の伝送リソースブロックの周波数領域位置を決定し、このような構成方式は、ネットワーク装置のスケジューリングが容易になり、且つ該端末装置が周波数領域ダイバーシティ利得を取得できるとともに、伝送リソースの断片化も回避する。
【０００７】
第１態様を参照して、第１態様の実現方式では、該第１伝送リソースブロックが該複数の伝送リソースブロックのうちの時間順序で配列されている際の奇数番目の伝送リソースブロックであり、該第２伝送リソースブロックが時間領域において該第１伝送リソースブロックの後に位置する。
【０００８】
それに対応して、該第２伝送リソースブロックが該複数の伝送リソースブロックのうちの時間順序で配列されている際の偶数番目の伝送リソースブロックである。
【０００９】
第１態様及びその上記実現方式を参照して、第１態様の他の実現方式では、該周波数領域オフセットが該第１伝送リソースブロックの周波数領域での開始位置と該第２伝送リソースブロックの周波数領域での開始位置との差である。
【００１０】
好ましくは、該周波数領域オフセットは更に該第１伝送リソースブロックの占有した周波数領域終了位置から第２伝送リソースブロックの占有した周波数領域開始位置までの差値を示してもよい。
【００１１】
好ましくは、該周波数領域オフセットは更に該第１伝送リソースブロックの占有した周波数領域リソースの中心位置から第２伝送リソースブロックの占有した周波数領域リソースの中心位置までの差値を示してもよい。
【００１２】
第１態様及びその上記実現方式を参照して、第１態様の他の実現方式では、該第１伝送リソースブロックと該第２伝送リソースブロックとがそれぞれ１つのサブフレーム又は１つのマイクロサブフレームを占有する。又は、該第１伝送リソースブロックが１つのサブフレームの第１部分を占有し、且つ該第２伝送リソースブロックが該１つのサブフレームの第２部分を占有する。又は、該第１伝送リソースブロックが１つのマイクロサブフレームの第１部分を占有し、且つ該第２伝送リソースブロックが該１つのマイクロサブフレームの第２部分を占有する。
【００１３】
理解すべきものは、該第１伝送リソースと第２伝送リソースとがそれぞれ１つのサブフレーム又は１つのマイクロサブフレームの２つの部分を占有した場合、該２つの部分が等しくてもよく、等しくなくてもよい。
【００１４】
第１態様及びその上記実現方式を参照して、第１態様の他の実現方式では、ネットワーク装置によって割り当てられた複数の伝送リソースブロックの周波数領域オフセットを決定することは、該ネットワーク装置から送信された該周波数領域オフセットを受信することを含む。
【００１５】
第１態様及びその上記実現方式を参照して、第１態様の他の実現方式では、該ネットワーク装置から送信された該周波数領域オフセットを受信することは、該ネットワーク装置から送信された第１構成メッセージを受信することを含み、該第１構成メッセージが該周波数領域オフセットを示すことに用いられ、該第１構成メッセージがネットワークブロードキャストメッセージ、ネットワークシステムメッセージ、無線リソース制御（ＲＲＣ：ｒａｄｉｏ  ｒｅｓｏｕｒｃｅ  ｃｏｎｔｒｏｌ）メッセージ、媒体アクセス制御（ＭＡＣ：ｍｅｄｉａ  ａｃｃｅｓｓ  ｃｏｎｔｒｏｌ）制御要素（ＣＥ：ｃｏｎｔｒｏｌ  ｅｌｅｍｅｎｔ）及びダウンリンク制御情報（ＤＣＩ：ｄｏｗｎｌｉｎｋ  ｃｏｎｔｒｏｌ  ｉｎｆｏｒｍａｔｉｏｎ）のうちの少なくとも１つである。
【００１６】
第１態様及びその上記実現方式を参照して、第１態様の他の実現方式では、該方法は、更に、リソース領域パラメータを決定することを含み、該リソース領域パラメータが該複数の伝送リソースブロックのうちの少なくとも１つの伝送リソースブロックの占有可能な周波数領域範囲を示すことに用いられ、該少なくとも１つの伝送リソースブロックが該第１伝送リソースブロック又は該第２伝送リソースブロックを含む。
【００１７】
第１態様及びその上記実現方式を参照して、第１態様の他の実現方式では、リソース領域パラメータを決定することは、該端末装置から送信された該リソース領域パラメータを受信することを含む。
【００１８】
第１態様及びその上記実現方式を参照して、第１態様の他の実現方式では、該端末装置から送信された該リソース領域パラメータを受信することは、該ネットワーク装置から送信された第２構成情報を受信することを含み、該第２構成メッセージが該リソース領域パラメータを示すことに用いられ、該第２構成メッセージがネットワークブロードキャストメッセージ、ネットワークシステムメッセージ、ＲＲＣメッセージ、ＭＡＣ  ＣＥ及びＤＣＩのうちの少なくとも１つである。
【００１９】
第１態様及びその上記実現方式を参照して、第１態様の他の実現方式では、該リソース領域パラメータで示す該少なくとも１つの伝送リソースブロックの占有可能な周波数領域範囲が連続しない。
【００２０】
好ましくは、該リソース領域パラメータで示す該少なくとも１つの伝送リソースブロックの占有可能な周波数領域範囲が連続してもよい。
【００２１】
従って、本願の実施例のリソース構成方法によれば、端末装置はネットワーク装置によって割り当てられた複数の伝送リソースブロックのうちのいずれか２つの隣接する伝送リソースブロック間の周波数領域オフセットを決定し、また、更に該複数の伝送リソースブロックのうちの少なくとも１つの伝送リソースブロックの占有可能な周波数領域範囲を決定して、該周波数領域オフセット及び該占有可能な周波数領域範囲に基づいて該複数の伝送リソースブロックの周波数領域位置を決定してもよく、このような構成方式は、ネットワーク装置のスケジューリングが容易になり、且つ該端末装置が周波数領域ダイバーシティ利得を取得できるとともに、伝送リソースの断片化も回避する。
【００２２】
第２態様に係るリソース構成方法であって、端末装置に割り当てた複数の伝送リソースブロックの周波数領域オフセットを決定することであって、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであることと、該端末装置へ該周波数領域オフセットを送信することと、を含む。
【００２３】
従って、本願の実施例のリソース構成方法によれば、ネットワーク装置は端末装置のアップリンク伝送に複数の伝送リソースブロックを構成して、該端末装置へ該複数の伝送リソースブロックのうちのいずれか２つの隣接する伝送リソースブロック間の周波数領域オフセットを送信し、それにより該端末装置は該周波数領域オフセットに基づいて該複数の伝送リソースブロックの周波数領域位置を決定することができ、これにより、ネットワーク装置の構成方式を容易にし、且つ該端末装置が周波数領域ダイバーシティ利得を取得できるとともに、伝送リソースの断片化も回避する。
【００２４】
第２態様を参照して、第２態様の実現方式では、該第１伝送リソースブロックが該複数の伝送リソースブロックのうちの時間順序で配列されている際の奇数番目の伝送リソースブロックであり、該第２伝送リソースブロックが時間領域において該第１伝送リソースブロックの後に位置する。
【００２５】
第２態様及びその上記実現方式を参照して、第２態様の他の実現方式では、該周波数領域オフセットが該第１伝送リソースブロックの周波数領域での開始位置と該第２伝送リソースブロックの周波数領域での開始位置との差である。
【００２６】
第２態様及びその上記実現方式を参照して、第２態様の他の実現方式では、該第１伝送リソースブロックと該第２伝送リソースブロックとがそれぞれ１つのサブフレーム又は１つのマイクロサブフレームを占有する。又は、該第１伝送リソースブロックが１つのサブフレームの第１部分を占有し、且つ該第２伝送リソースブロックが該１つのサブフレームの第２部分を占有する。又は、該第１伝送リソースブロックが１つのマイクロサブフレームの第１部分を占有し、且つ該第２伝送リソースブロックが該１つのマイクロサブフレームの第２部分を占有する。
【００２７】
第２態様及びその上記実現方式を参照して、第２態様の他の実現方式では、該端末装置へ該周波数領域オフセットを送信することは、該端末装置へ第１構成メッセージを送信することを含み、該第１構成メッセージが該周波数領域オフセットを示すことに用いられ、該第１構成メッセージがネットワークブロードキャストメッセージ、ネットワークシステムメッセージ、ＲＲＣメッセージ、ＭＡＣ  ＣＥ及びＤＣＩのうちの少なくとも１つである。
【００２８】
第２態様及びその上記実現方式を参照して、第２態様の他の実現方式では、該方法は、更に、該端末装置へリソース領域パラメータを送信することを含み、該リソース領域パラメータが該複数の伝送リソースブロックのうちの少なくとも１つの伝送リソースブロックの占有可能な周波数領域範囲を示すことに用いられ、該少なくとも１つの伝送リソースブロックが該第１伝送リソースブロック又は該第２伝送リソースブロックを含む。
【００２９】
第２態様及びその上記実現方式を参照して、第２態様の他の実現方式では、該端末装置へリソース領域パラメータを送信することは、該端末装置へ第２構成メッセージを送信することを含み、該第２構成メッセージが該リソース領域パラメータを示すことに用いられ、該第２構成メッセージがネットワークブロードキャストメッセージ、ネットワークシステムメッセージ、ＲＲＣメッセージ、ＭＡＣ  ＣＥ及びＤＣＩのうちの少なくとも１つである。
【００３０】
第２態様及びその上記実現方式を参照して、第２態様の他の実現方式では、該リソース領域パラメータで示す該少なくとも１つの伝送リソースブロックの占有可能な周波数領域範囲が連続しない。
【００３１】
従って、本願の実施例のリソース構成方法によれば、ネットワーク装置は端末装置のアップリンク伝送に複数の伝送リソースブロックを構成して、該端末装置へ該複数の伝送リソースブロックのうちのいずれか２つの隣接する伝送リソースブロック間の周波数領域オフセットを送信し、また、更に端末装置に該複数の伝送リソースブロックのうちの少なくとも１つの伝送リソースブロックの占有可能な周波数領域範囲を構成してもよく、それにより該端末装置は該周波数領域オフセット及び該占有可能な周波数領域範囲に基づいて該複数の伝送リソースブロックの周波数領域位置を決定することができ、これにより、ネットワーク装置の構成方式を容易にし、且つ該端末装置が周波数領域ダイバーシティ利得を取得できるとともに、伝送リソースの断片化も回避する。
【００３２】
第３態様に係るリソース構成方法であって、ネットワーク装置によって割り当てられた複数の伝送リソースブロックのうちの少なくとも１つの伝送リソースブロックの占有可能な周波数領域範囲を示すためのリソース領域パラメータを決定することと、該リソース領域パラメータに基づいて該複数の伝送リソースブロックを決定することと、を含む。
【００３３】
従って、本願の実施例のリソース構成方法によれば、端末装置はネットワーク装置によって割り当てられた複数の伝送リソースブロックのうちの少なくとも１つの伝送リソースブロックの占有可能な周波数領域範囲を示すためのリソース領域パラメータを決定し、更に該リソース領域パラメータで示す範囲から該複数の伝送リソースブロックを決定し、それにより該端末装置は該複数の伝送リソースブロックを利用してアップリンク伝送を行うことができ、伝送効率を向上させる。
【００３４】
第３態様を参照して、第３態様の実現方式では、リソース領域パラメータを決定することは、該端末装置から送信された該リソース領域パラメータを受信することを含む。
【００３５】
第３態様及びその上記実現方式を参照して、第３態様の他の実現方式では、該端末装置から送信された該リソース領域パラメータを受信することは、該ネットワーク装置から送信された構成情報を受信することを含み、該構成メッセージが該リソース領域パラメータを示すことに用いられ、該構成メッセージがネットワークブロードキャストメッセージ、ネットワークシステムメッセージ、ＲＲＣメッセージ、ＭＡＣ  ＣＥ及びＤＣＩのうちの少なくとも１つである。
【００３６】
第３態様及びその上記実現方式を参照して、第３態様の他の実現方式では、該リソース領域パラメータで示す該少なくとも１つの伝送リソースブロックの占有可能な周波数領域範囲が連続しない。
【００３７】
第４態様に係るリソース構成方法であって、端末装置のリソース領域パラメータを決定することであって、該リソース領域パラメータが端末装置に割り当てた複数の伝送リソースブロックのうちの少なくとも１つの伝送リソースブロックの占有可能な周波数領域範囲を示すことに用いられることと、該端末装置へ該リソース領域パラメータを送信することと、を含む。
【００３８】
従って、本願の実施例のリソース構成方法によれば、ネットワーク装置は端末装置に複数の伝送リソースブロックを割り当てて、該複数の伝送リソースブロックのうちの少なくとも１つの伝送リソースブロックの占有可能な周波数領域範囲を示すためのリソース領域パラメータを端末装置に送信し、それにより端末装置は該リソース領域パラメータで示す範囲から該複数の伝送リソースブロックを決定して、該複数の伝送リソースブロックを利用してアップリンク伝送を行うことができ、伝送効率を向上させる。
【００３９】
第４態様を参照して、第４態様の実現方式では、該端末装置へ該リソース領域パラメータを送信することは、該端末装置へ構成メッセージを送信することを含み、該第２構成メッセージが該リソース領域パラメータを示すことに用いられ、該構成メッセージがネットワークブロードキャストメッセージ、ネットワークシステムメッセージ、ＲＲＣメッセージ、ＭＡＣ  ＣＥ及びＤＣＩのうちの少なくとも１つである。
【００４０】
第４態様及びその上記実現方式を参照して、第４態様の他の実現方式では、該リソース領域パラメータで示す該少なくとも１つの伝送リソースブロックの占有可能な周波数領域範囲が連続しない。
【００４１】
第５態様に係る端末装置であって、上記第１態様又は第１態様のいずれか１つの可能な実現方式における方法を実行することに用いられる。具体的に、該端末装置は上記第１態様又は第１態様のいずれか１つの可能な実現方式における方法を実行するように構成されるユニットを備える。
【００４２】
第６態様に係るネットワーク装置であって、上記第２態様又は第２態様のいずれか１つの可能な実現方式における方法を実行することに用いられる。具体的に、該ネットワーク装置は上記第２態様又は第２態様のいずれか１つの可能な実現方式における方法を実行するように構成されるユニットを備える。
【００４３】
第７態様に係る端末装置であって、上記第３態様又は第３態様のいずれか１つの可能な実現方式における方法を実行することに用いられる。具体的に、該端末装置は上記第３態様又は第３態様のいずれか１つの可能な実現方式における方法を実行するように構成されるユニットを備える。
【００４４】
第８態様に係るネットワーク装置であって、上記第４態様又は第４態様のいずれか１つの可能な実現方式における方法を実行することに用いられる。具体的に、該ネットワーク装置は上記第４態様又は第４態様のいずれか１つの可能な実現方式における方法を実行するように構成されるユニットを備える。
【００４５】
第９態様に係る端末装置であって、記憶ユニット及びプロセッサを備え、該記憶ユニットは命令を記憶することに用いられ、該プロセッサは該メモリに記憶される命令を実行することに用いられ、且つ、該プロセッサが該メモリに記憶される命令を実行するとき、該実行によって該プロセッサが第１態様又は第１態様のいずれか１つの可能な実現方式における方法を実行する。
【００４６】
第１０態様に係るネットワーク装置であって、記憶ユニット及びプロセッサを備え、該記憶ユニットは命令を記憶することに用いられ、該プロセッサは該メモリに記憶される命令を実行することに用いられ、且つ、該プロセッサが該メモリに記憶される命令を実行するとき、該実行によって該プロセッサが第２態様又は第２態様のいずれか１つの可能な実現方式における方法を実行する。
【００４７】
第１１態様に係る端末装置であって、記憶ユニット及びプロセッサを備え、該記憶ユニットは命令を記憶することに用いられ、該プロセッサは該メモリに記憶される命令を実行することに用いられ、且つ、該プロセッサが該メモリに記憶される命令を実行するとき、該実行によって該プロセッサが第３態様又は第３態様のいずれか１つの可能な実現方式における方法を実行する。
【００４８】
第１２態様に係るネットワーク装置であって、記憶ユニット及びプロセッサを備え、該記憶ユニットは命令を記憶することに用いられ、該プロセッサは該メモリに記憶される命令を実行することに用いられ、且つ、該プロセッサが該メモリに記憶される命令を実行するとき、該実行によって該プロセッサが第４態様又は第４態様のいずれか１つの可能な実現方式における方法を実行する。
【００４９】
第１３態様に係るコンピュータ可読媒体であって、コンピュータプログラムを記憶することに用いられ、該コンピュータプログラムは第１態様又は第１態様のいずれか１つの可能な実現方式における方法を実行するための命令を含む。
【００５０】
第１４態様に係るコンピュータ可読媒体であって、コンピュータプログラムを記憶することに用いられ、該コンピュータプログラムは第２態様又は第２態様のいずれか１つの可能な実現方式における方法を実行するための命令を含む。
【００５１】
第１５態様に係るコンピュータ可読媒体であって、コンピュータプログラムを記憶することに用いられ、該コンピュータプログラムは第３態様又は第３態様のいずれか１つの可能な実現方式における方法を実行するための命令を含む。
【００５２】
第１６態様に係るコンピュータ可読媒体であって、コンピュータプログラムを記憶することに用いられ、該コンピュータプログラムは第４態様又は第４態様のいずれか１つの可能な実現方式における方法を実行するための命令を含む。
【００５３】
第１７態様に係る命令を含むコンピュータプログラム製品であって、コンピュータが前記コンピュータプログラム製品の前記命令を実行するとき、前記コンピュータが上記第１態様又は第１態様のいずれか１つの可能な実現方式におけるリソース構成方法を実行する。具体的に、該コンピュータプログラム製品が上記第５態様の端末装置において実行できる。
【００５４】
第１８態様に係る命令を含むコンピュータプログラム製品であって、コンピュータが前記コンピュータプログラム製品の前記命令を実行するとき、前記コンピュータが上記第２態様又は第２態様のいずれか１つの可能な実現方式におけるリソース構成方法を実行する。具体的に、該コンピュータプログラム製品が上記第６態様のネットワーク装置において実行できる。
【００５５】
第１９態様に係る命令を含むコンピュータプログラム製品であって、コンピュータが前記コンピュータプログラム製品の前記命令を実行するとき、前記コンピュータが上記第３態様又は第３態様のいずれか１つの可能な実現方式におけるリソース構成方法を実行する。具体的に、該コンピュータプログラム製品が上記第７態様の端末装置において実行できる。
【００５６】
第２０態様に係る命令を含むコンピュータプログラム製品であって、コンピュータが前記コンピュータプログラム製品の前記命令を実行するとき、前記コンピュータが上記第４態様又は第４態様のいずれか１つの可能な実現方式におけるリソース構成方法を実行する。具体的に、該コンピュータプログラム製品が上記第８態様のネットワーク装置において実行できる。
【図面の簡単な説明】
【００５７】
【図１】図１は本願の実施例に係るリソース構成方法のフローチャートである。
【図２】図２は本願の実施例に係る第１伝送リソースブロックと第２伝送リソースブロックとの占有した時間領域サイズの模式図である。
【図３】図３は本願の他の実施例に係る第１伝送リソースブロックと第２伝送リソースブロックとの占有した時間領域サイズの模式図である。
【図４】図４は本願の別の実施例に係る第１伝送リソースブロックと第２伝送リソースブロックとの占有した時間領域サイズの模式図である。
【図５】図５は本願の実施例に係る時間領域オフセットの模式図である。
【図６】図６は本願の実施例に係る少なくとも１つの伝送リソースブロックの占有可能な時間領域リソースの模式図である。
【図７】図７は本願の他の実施例に係る少なくとも１つの伝送リソースブロックの占有可能な時間領域リソースの模式図である。
【図８】図８は本願の他の実施例に係るリソース構成方法のフローチャートである。
【図９】図９は本願の別の実施例に係るリソース構成方法のフローチャートである。
【図１０】図１０は本願の別の実施例に係るリソース構成方法のフローチャートである。
【図１１】図１１は本願の実施例に係る端末装置のブロック図である。
【図１２】図１２は本願の実施例に係るネットワーク装置のブロック図である。
【図１３】図１３は本願の他の実施例に係る端末装置のブロック図である。
【図１４】図１４は本願の他の実施例に係るネットワーク装置のブロック図である。
【図１５】図１５は本願の別の実施例に係る端末装置のブロック図である。
【図１６】図１６は本願の別の実施例に係るネットワーク装置のブロック図である。
【図１７】図１７は本願の別の実施例に係る端末装置のブロック図である。
【図１８】図１８は本願の別の実施例に係るネットワーク装置のブロック図である。
【発明を実施するための形態】
【００５８】
以下、図面を参照しながら本願の実施例の技術案を説明する。
【００５９】
本願の実施例の技術案は様々な通信システム、例えば、モバイル通信用グローバル（ＧＳＭＣ：ｇｌｏｂａｌ  ｓｙｓｔｅｍ  ｏｆ  ｍｏｂｉｌｅ  ｃｏｍｍｕｎｉｃａｔｉｏｎ）システム、符号分割多元接続（ＣＤＭＡ：ｃｏｄｅ  ｄｉｖｉｓｉｏｎ  ｍｕｌｔｉｐｌｅ  ａｃｃｅｓｓ）システム、広帯域符号分割多元接続（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）システム、汎用パケット無線サービス（ＧＰＲＳ：ｇｅｎｅｒａｌ  ｐａｃｋｅｔ  ｒａｄｉｏ  ｓｅｒｖｉｃｅ）、ＬＴＥシステム、ＬＴＥ周波数分割複信（ＦＤＤ：ｆｒｅｑｕｅｎｃｙ  ｄｉｖｉｓｉｏｎ  ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：ｕｎｉｖｅｒｓａｌ  ｍｏｂｉｌｅ  ｔｅｌｅｃｏｍｍｕｎｉｃａｔｉｏｎ  ｓｙｓｔｅｍ）、マイクロ波利用アクセスに関する世界的な相互運用（ＷｉＭＡＸ：ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）通信システム、将来の第５世代（５Ｇ：５ｔｈ  ｇｅｎｅｒａｔｉｏｎ）システム又はＮＲ等に適用されてもよい。
【００６０】
本願の実施例の端末装置はユーザー装置、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。端末装置は更にセルラー方式の電話、コードレスホン、セッション確立プロトコル（ＳＩＰ：ｓｅｓｓｉｏｎ  ｉｎｉｔｉａｔｉｏｎ  ｐｒｏｔｏｃｏｌ）電話、ワイヤレスローカルループ（ＷＬＬ：ｗｉｒｅｌｅｓｓ  ｌｏｃａｌ  ｌｏｏｐ）局、パーソナルデジタルアシスタント（ＰＤＡ：ｐｅｒｓｏｎａｌ  ｄｉｇｉｔａｌ  ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展する公衆陸上移動網（ＰＬＭＮ：ｐｕｂｌｉｃ  ｌａｎｄ  ｍｏｂｉｌｅ  ｎｅｔｗｏｒｋ）における端末装置等であってもよく、本願の実施例は制限しない。
【００６１】
本願の実施例のネットワーク装置は端末装置と通信するための装置であってもよく、該ネットワーク装置はＧＳＭＣシステム又はＣＤＭＡにおける基地局（ＢＴＳ：ｂａｓｅ  ｔｒａｎｓｃｅｉｖｅｒ  ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：ｅｖｏｌｕｔｉｏｎａｌ  ＮｏｄｅＢ）であってもよく、更にクラウド無線アクセスネットワーク（ＣＲＡＮ：ｃｌｏｕｄ  ｒａｄｉｏ  ａｃｃｅｓｓ  ｎｅｔｗｏｒｋ）シーンにおける無線制御装置であってもよく、又は、該ネットワーク装置は中継所、アクセスポイント、車載装置、ウェアラブル端末及び将来の５Ｇネットワークにおけるネットワーク装置又は将来発展するＰＬＭＮネットワークにおけるネットワーク装置等であってもよく、本願の実施例は制限しない。
【００６２】
図１には本願の実施例に係るリソース構成方法１００のフローチャートを示し、該方法１００は端末装置により実行されてもよい。図１に示すように、該方法１００は、ネットワーク装置によって割り当てられた複数の伝送リソースブロックの周波数領域オフセットを決定することであって、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであるＳ１１０と、該周波数領域オフセットに基づいて該複数の伝送リソースブロックを決定するＳ１２０と、を含む。
【００６３】
具体的に、ネットワーク装置は端末装置に複数の伝送リソースブロックを構成し、該複数の伝送リソースブロックは端末装置がＰＵＳＣＨを伝送することに用いられてもよく、各伝送リソースブロックが異なる時間領域及び周波数領域リソースを占有する可能性があり、端末装置が複数の伝送リソースブロックのうちのいずれか２つの伝送リソースブロック間の周波数領域オフセットを決定することは、予め構成する方式を用いてもよく、ネットワーク装置から送信された周波数領域オフセットを受信する方式を用いてもよく、本願の実施例はこれらに限らない。
【００６４】
好ましくは、一実施例として、端末装置は予め構成する方式で該周波数領域オフセットを決定し、例えば、該端末装置に固定閾値を該周波数領域オフセットとして構成してもよい。
【００６５】
好ましくは、一実施例として、端末装置は更にネットワーク装置から送信された第１構成情報を受信してもよく、該第１構成情報が該周波数領域オフセットを示すことに用いられ、該第１構成情報がネットワークブロードキャストメッセージ、ネットワークシステムメッセージ、ＲＲＣメッセージ、ＭＡＣ  ＣＥ及びＤＣＩのうちの少なくとも１つであってもよい。例えば、端末装置はネットワーク装置から送信されたＲＲＣメッセージを受信し、該ＲＲＣメッセージが該周波数領域オフセットを含んでもよく、更に、例えば、端末装置はネットワーク装置から送信されたＲＲＣメッセージ及びＭＡＣ  ＣＥを受信して、該ＲＲＣメッセージ及びＭＡＣ  ＣＥによってネットワーク装置に構成された周波数領域オフセットを決定する。
【００６６】
本願の実施例では、ネットワーク装置が端末装置に割り当てた該複数の伝送リソースブロックの占有した時間領域リソースサイズは同じであってもよく、異なってもよく、且つ、ここで該複数の伝送リソースブロックのうちの各伝送リソースブロックの占有した時間領域サイズを制限しない。ここで、該複数の伝送リソースブロックのうちのいずれか２つの時間領域での隣接する伝送リソースブロックを例として、図２〜図４を参照しながら該複数の伝送リソースブロックのうちの各伝送リソースブロックの占有可能な時間領域サイズを説明し、且つ、占有した周波数領域サイズがいかなるサイズであってもよく、該いずれか２つの時間領域における隣接する伝送リソースブロックが第１伝送リソースブロック及び第２伝送リソースブロックである。
【００６７】
理解すべきものは、ここで、隣接とは、該端末装置の複数の伝送リソースブロックを時間順序で配列するとき、該第１伝送リソースブロックと第２伝送リソースブロックとが時間領域において隣接するが、該２つの伝送リソースブロックが時間領域において連続してもよいし連続しなくてもよいということである。例えば、複数の伝送リソースブロックを時間順序で配列するとき、該第１伝送リソースブロックが該複数の伝送リソースブロックのうちの奇数番目の位置での伝送リソースブロックであってもよいが、該第２伝送リソースブロックが該第１伝送リソースブロックの後の偶数番目の位置での伝送リソースブロックである。
【００６８】
好ましくは、一実施例として、該第１伝送リソースブロックと第２伝送リソースブロックとがそれぞれ１つのサブフレームの２つの部分を占有してもよく、それぞれ１つのマイクロサブフレームの２つの部分を占有してもよい。例えば、図２に示すように、第１伝送リソースブロックが１つのサブフレームＫの第１部分を占有し、該第１部分が図２における左側部分であり、つまり、図２における左側の黒色部分が第１伝送リソースブロックであり、そして、第２伝送リソースブロックが該サブフレームＫの第２部分を占有し、該第２部分が図２における右側部分であり、つまり、図２における右側の黒色部分が第２伝送リソースブロックである。又は、図２に示されるサブフレームＫがマイクロサブフレームＫであってもよく、つまり、該第１伝送リソースブロックが１つのマイクロサブフレームＫの第１部分を占有するが、該第２伝送リソースブロックが該マイクロサブフレームＫの第２部分を占有する。
【００６９】
理解すべきものは、該第１部分と第２部分とが時間領域において等しくてもよく、例えば該第１部分と第２部分とが１つのサブフレーム又はマイクロサブフレームを等分してもよく、又は該第１部分と第２部分とが等しくなくてもよく、本願の実施例はこれらに限らない。
【００７０】
好ましくは、一実施例として、該第１伝送リソースブロックと第２伝送リソースブロックとがそれぞれ１つのサブフレームを占有してもよく、それぞれ１つのマイクロサブフレームを占有してもよく、且つ、該サブフレーム又はマイクロサブフレームが連続する。例えば、図３に示すように、該第１伝送リソースブロックが図３における左側のサブフレームＫを占有する場合、第２伝送リソースブロックが図３における右側のサブフレームＫ＋１を占有し、又は、該第１伝送リソースブロックが図３における左側のマイクロサブフレームＫを占有する場合、第２伝送リソースブロックが図３における右側のマイクロサブフレームＫ＋１を占有し、該第１伝送リソースブロックと第２伝送リソースブロックとの占有したサブフレーム又はマイクロサブフレームが連続する。
【００７１】
好ましくは、一実施例として、該第１伝送リソースブロックと第２伝送リソースブロックとがそれぞれ１つのサブフレームを占有してもよく、それぞれ１つのマイクロサブフレームを占有してもよく、且つ、該サブフレーム又はマイクロサブフレームが連続しない。例えば、図４に示すように、該第１伝送リソースブロックが図４における左側のサブフレームＭを占有するが、第２伝送リソースブロックが図４における右側のサブフレームＮを占有し、又は、該第１伝送リソースブロックが図４における左側のマイクロサブフレームＭを占有する場合、第２伝送リソースブロックが図４における右側のマイクロサブフレームＮを占有し、該第１伝送リソースブロックと第２伝送リソースブロックとの占有したサブフレーム又はマイクロサブフレームが連続せず、つまり、ＭとＮとの差が１より大きい。好ましくは、該サブフレームＭとサブフレームＮとの間の他のサブフレーム又はマイクロサブフレームＭとマイクロサブフレームＮとの間の他のマイクロサブフレームはいずれもネットワーク装置が他の端末装置に割り当てた伝送リソースであってもよく、本願の実施例はこれらに限らない。
【００７２】
理解すべきものは、上記サブフレームのサイズは１ｍｓであってもよく、１４個の直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含んでもよく、それに対応して、マイクロサブフレームのサイズがサブフレームのサイズより小さく、該マイクロサブフレームは１４個以下のＯＦＤＭシンボルを含んでもよい。
【００７３】
説明都合上、以下に説明される第１伝送リソースブロックと第２伝送リソースブロックとの占有した時間領域サイズ及び周波数領域サイズを制限せず、且つ、第１伝送リソースブロックが時間領域において第２伝送リソースブロックの前に位置する場合を例として説明する。
【００７４】
本願の実施例では、該端末装置は第１伝送リソースブロックの占有した周波数領域リソースの位置を決定してもよく、例えば、ネットワーク装置の構成によって該第１伝送リソースブロックの周波数領域位置を決定し、更に第１伝送リソースブロックと第２伝送リソースブロックとの間の周波数領域オフセットを決定し、更に該周波数領域オフセットに基づいて第２伝送リソースブロックの占有した周波数領域リソース位置を決定してもよい。
【００７５】
理解すべきものは、図５に示すように、左側黒色ブロックが第１伝送リソースブロックを示し、右側黒色ブロックが第２伝送リソースブロックを示し、該周波数領域オフセット（Ｐｏｆｆｓｅｔ）が該第１伝送リソースブロックの占有した周波数領域の開始位置から第２伝送リソースブロックの占有した周波数領域の開始位置までの差値を示してもよく、そうすると端末装置は第１伝送リソースブロックの占有した周波数領域の開始位置と周波数領域オフセットとの和に基づいて第２伝送リソースブロックの占有した周波数領域の開始位置を決定してもよい。好ましくは、該周波数領域オフセットが更に他の方式で第１伝送リソースブロックと第２伝送リソースブロックとの間の周波数領域オフセットを示してもよい。
【００７６】
例えば、該周波数領域オフセットが更に該第１伝送リソースブロックの占有した周波数領域終了位置から第２伝送リソースブロックの占有した周波数領域開始位置までの差値を示してもよく、そうすると端末装置は第１伝送リソースブロックの占有した周波数領域終了位置と周波数領域オフセットとの和に基づいて第２伝送リソースブロックの占有した周波数領域の開始位置を決定してもよい。
【００７７】
更に、例えば、該周波数領域オフセットが更に該第１伝送リソースブロックの占有した周波数領域リソースの中心位置から第２伝送リソースブロックの占有した周波数領域リソースの中心位置までの差値を示してもよく、そうすると端末装置は第１伝送リソースブロックの占有した周波数領域リソースの中心位置と周波数領域オフセットとの和に基づいて第２伝送リソースブロックの占有した周波数領域リソースの中心位置を決定し、更に第２伝送リソースブロックのサイズに基づいて該第２伝送リソースブロックの占有した周波数領域リソースの開始位置を決定してもよい。
【００７８】
本願の実施例では、端末装置は更にネットワーク装置が該端末装置に割り当てた複数の伝送リソースブロックのうちの少なくとも１つの伝送リソースブロックの占有可能な周波数領域範囲を示すためのリソース領域パラメータを決定してもよい。好ましくは、該リソース領域パラメータで示す少なくとも１つの伝送リソースブロックの占有可能な周波数領域範囲が連続してもよく、連続しなくてもよく、例えば分散している複数の領域であってもよい。
【００７９】
理解すべきものは、該リソース領域パラメータで示す少なくとも１つの伝送リソースブロックの占有可能な周波数領域範囲については、該少なくとも１つの伝送リソースブロックが該複数の伝送リソースブロックのうちの全部又は一部であってもよく、該少なくとも１つの伝送リソースブロックが少なくとも該第２伝送リソースブロックを含む。具体的に、端末装置は事前構成又はネットワーク装置の半静的又は動的構成によって第１伝送リソースブロックの占有した周波数領域位置を決定し、更に該第１伝送リソースブロックの占有した周波数領域位置及び周波数領域オフセットに基づいて第２伝送リソースブロックの位置を決定してもよい。ここで、該リソース領域パラメータが該第２伝送リソースブロックの占有可能な周波数領域範囲を示す場合を例として説明する。
【００８０】
好ましくは、一実施例として、該リソース領域パラメータで示す少なくとも１つの伝送リソースブロックの占有可能な周波数領域範囲が連続してもよく、つまり、第２伝送リソースブロックの占有可能な周波数領域範囲が連続する。例えば、図６に示すように、リソース領域パラメータに基づき、端末装置は第２伝送リソースブロックの占有可能な周波数領域範囲が右側の周辺斜線網掛け部以外の他の周波数領域範囲であると決定し、そうすると端末装置は第１伝送リソースブロック及び周波数領域オフセットに基づき、該領域において第２伝送リソースブロックを決定する。
【００８１】
図６における右側斜線網掛け部で示される周辺位置はＰＵＳＣＨの伝送に使用されないが、他の信号例えば物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）を伝送してもよい。
【００８２】
好ましくは、図６に示すように、第１伝送リソースブロック及び周波数領域オフセットに基づいて第２伝送リソースブロックの範囲が該リソース領域パラメータで示す範囲を超えると決定する場合、未超過部分と超過部分を分けて、該リソース領域パラメータで示す範囲において繰り返す方法を用いて超過部分を他側で伝送してもよい。
【００８３】
好ましくは、一実施例として、該リソース領域パラメータで示す少なくとも１つの伝送リソースブロックの占有可能な周波数領域範囲が連続しなくてもよく、つまり、第２伝送リソースブロックの占有可能な周波数領域範囲が連続しなくてもよく、例えば、該リソース領域パラメータで示す領域が複数の連続しない領域であってもよい。図７に示すように、該リソース領域パラメータで示す領域は２つの領域、すなわち図７における十字線網掛け部で示される領域１及び領域２を含んでもよく、第２伝送リソースブロックが該領域１及び領域２に属する。
【００８４】
具体的に、端末装置は第１伝送リソースブロック及び周波数領域オフセットに基づき、該領域１及び領域２において第２伝送リソースブロックを決定し、周波数領域オフセットは領域１及び領域２を除く部分を含まなくてもよい。同様に、第１伝送リソースブロック及び周波数領域オフセットに基づいて第２伝送リソースブロックの開始位置が領域１又は領域２の周辺に接近すると決定して、該第２伝送リソースブロックには領域１又は領域２を超える部分がある場合、同様に第２伝送リソースブロックの超過部分及び未超過部分を分けて、該領域１及び／又は領域２において繰り返してもよい。例えば、第２伝送リソースブロックの開始位置が領域２の周辺に接近すると決定して、第２伝送リソースブロックには領域２を超える部分がある場合、該第２伝送リソースブロックを分けて伝送してもよく、超過部分が該領域２において継続して繰り返し伝送されてもよく、利用可能領域全体において繰り返し伝送され、つまり、領域１及び領域２において繰り返して、第２伝送リソースブロックの超過部分を領域１にマッピングしてもよく、本願の実施例はこれらに限らない。
【００８５】
本願の実施例では、端末装置は該リソース領域パラメータが予め構成する方式を用いてもよいと決定する。好ましくは、端末装置は更にネットワーク装置から送信された第２構成メッセージを受信してもよく、該第２構成メッセージが該リソース領域パラメータを示すことに用いられ、該第２構成メッセージがネットワークブロードキャストメッセージ、ネットワークシステムメッセージ、ＲＲＣメッセージ、ＭＡＣ  ＣＥ及びＤＣＩのうちの少なくとも１つであってもよい。例えば、端末装置はネットワーク装置から送信されたＲＲＣメッセージを受信し、該ＲＲＣメッセージが該リソース領域パラメータを含んでもよく、更に、例えば、端末装置はネットワーク装置から送信されたＲＲＣメッセージ及びＭＡＣ  ＣＥを受信し、該ＲＲＣメッセージ及びＭＡＣ  ＣＥによってネットワーク装置に構成されたリソース領域パラメータを決定する。
【００８６】
従って、本願の実施例のリソース構成方法によれば、端末装置はネットワーク装置によって割り当てられた複数の伝送リソースブロックのうちのいずれか２つの隣接する伝送リソースブロック間の周波数領域オフセットを決定し、また、更に該複数の伝送リソースブロックのうちの少なくとも１つの伝送リソースブロックの占有可能な周波数領域範囲を決定して、該周波数領域オフセット及び該占有可能な周波数領域範囲に基づいて該複数の伝送リソースブロックの周波数領域位置を決定してもよく、このような構成方式は、ネットワーク装置のスケジューリングが容易になり、且つ該端末装置が周波数領域ダイバーシティ利得を取得できるとともに、伝送リソースの断片化も回避する。
【００８７】
以上は図１〜図７を参照しながら端末装置の観点から本願の実施例に係るリソース構成方法を詳しく説明したが、以下に図８を参照しながらネットワーク装置の観点から本願の実施例に係るリソース構成方法を説明する。
【００８８】
図８には本願の他の実施例に係るリソース構成方法２００のフローチャートを示し、該方法２００はネットワーク装置により実行されてもよい。図８に示すように、該方法２００は、端末装置に割り当てた複数の伝送リソースブロックの周波数領域オフセットを決定することであって、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであるＳ２１０と、該端末装置へ該周波数領域オフセットを送信するＳ２２０と、を含む。
【００８９】
好ましくは、該第１伝送リソースブロックが該複数の伝送リソースブロックのうちの時間順序で配列されている際の奇数番目の伝送リソースブロックであり、該第２伝送リソースブロックが時間領域において該第１伝送リソースブロックの後に位置する。
【００９０】
好ましくは、該周波数領域オフセットが該第１伝送リソースブロックの周波数領域での開始位置と該第２伝送リソースブロックの周波数領域での開始位置との差である。
【００９１】
好ましくは、該第１伝送リソースブロックと該第２伝送リソースブロックとがそれぞれ１つのサブフレーム又は１つのマイクロサブフレームを占有する。
【００９２】
好ましくは、該第１伝送リソースブロックが１つのサブフレームの第１部分を占有し、且つ該第２伝送リソースブロックが該１つのサブフレームの第２部分を占有する。
【００９３】
好ましくは、該第１伝送リソースブロックが１つのマイクロサブフレームの第１部分を占有し、且つ該第２伝送リソースブロックが該１つのマイクロサブフレームの第２部分を占有する。
【００９４】
好ましくは、該端末装置へ該周波数領域オフセットを送信することは、該端末装置へ第１構成メッセージを送信することを含み、該第１構成メッセージが該周波数領域オフセットを示すことに用いられ、該第１構成メッセージがネットワークブロードキャストメッセージ、ネットワークシステムメッセージ、ＲＲＣメッセージ、ＭＡＣ  ＣＥ及びＤＣＩのうちの少なくとも１つである。
【００９５】
好ましくは、該方法は、更に、該端末装置へリソース領域パラメータを送信することを含み、該リソース領域パラメータが該複数の伝送リソースブロックのうちの少なくとも１つの伝送リソースブロックの占有可能な周波数領域範囲を示すことに用いられ、該少なくとも１つの伝送リソースブロックが該第１伝送リソースブロック又は該第２伝送リソースブロックを含む。
【００９６】
好ましくは、該端末装置へリソース領域パラメータを送信することは、該端末装置へ第２構成メッセージを送信することを含み、該第２構成メッセージが該リソース領域パラメータを示すことに用いられ、該第２構成メッセージがネットワークブロードキャストメッセージ、ネットワークシステムメッセージ、ＲＲＣメッセージ、ＭＡＣ  ＣＥ及びＤＣＩのうちの少なくとも１つである。
【００９７】
好ましくは、該リソース領域パラメータで示す該少なくとも１つの伝送リソースブロックの占有可能な周波数領域範囲が連続しない。
【００９８】
理解すべきものは、本願の実施例の方法２００におけるネットワーク装置は方法１００におけるネットワーク装置に対応してもよく、方法２００における端末装置は方法１００における端末装置に対応してもよく、ここで詳細な説明は省略する。
【００９９】
従って、本願の実施例のリソース構成方法によれば、ネットワーク装置は端末装置のアップリンク伝送に複数の伝送リソースブロックを構成して、該端末装置へ該複数の伝送リソースブロックのうちのいずれか２つの隣接する伝送リソースブロック間の周波数領域オフセットを送信し、また、更に端末装置に該複数の伝送リソースブロックのうちの少なくとも１つの伝送リソースブロックの占有可能な周波数領域範囲を構成してもよく、それにより該端末装置は該周波数領域オフセット及び該占有可能な周波数領域範囲に基づいて該複数の伝送リソースブロックの周波数領域位置を決定することができ、これにより、ネットワーク装置の構成方式を容易にし、且つ該端末装置が周波数領域ダイバーシティ利得を取得できるとともに、伝送リソースの断片化も回避する。
【０１００】
図９には本願の別の実施例に係るリソース構成方法３００のフローチャートを示し、該方法３００は端末装置により実行されてもよい。図９に示すように、該方法３００は、ネットワーク装置によって割り当てられた複数の伝送リソースブロックのうちの少なくとも１つの伝送リソースブロックの占有可能な周波数領域範囲を示すためのリソース領域パラメータを決定するＳ３１０と、該リソース領域パラメータに基づいて該複数の伝送リソースブロックを決定するＳ３２０と、を含む。
【０１０１】
具体的に、端末装置は該リソース領域パラメータが予め構成する方式を用いてもよいと決定する。又は、端末装置は更にネットワーク装置から送信された構成メッセージを受信してもよく、該構成メッセージが該リソース領域パラメータを示すことに用いられ、該構成メッセージがネットワークブロードキャストメッセージ、ネットワークシステムメッセージ、ＲＲＣメッセージ、ＭＡＣ  ＣＥ及びＤＣＩのうちの少なくとも１つであってもよい。例えば、端末装置はネットワーク装置から送信されたＲＲＣメッセージを受信し、該ＲＲＣメッセージが該リソース領域パラメータを含んでもよく、更に、例えば、端末装置はネットワーク装置から送信されたＲＲＣメッセージ及びＭＡＣ  ＣＥを受信し、該ＲＲＣメッセージ及びＭＡＣ  ＣＥによってネットワーク装置に構成されたリソース領域パラメータを決定する。
【０１０２】
本願の実施例では、端末装置の決定した該リソース領域パラメータはネットワーク装置が該端末装置に割り当てた複数の伝送リソースブロックのうちの少なくとも１つの伝送リソースブロックの占有可能な周波数領域範囲を示すことに用いられ、該少なくとも１つの伝送リソースブロックは該複数の伝送リソースブロックの全部又は一部であってもよい。好ましくは、該リソース領域パラメータで示す少なくとも１つの伝送リソースブロックの占有可能な周波数領域範囲が連続してもよく、連続しなくてもよく、例えば分散している複数の領域であってもよい。
【０１０３】
好ましくは、一実施例として、該リソース領域パラメータで示す少なくとも１つの伝送リソースブロックの占有可能な周波数領域範囲が連続してもよい。例えば、図６に示すように、リソース領域パラメータに基づき、端末装置は少なくとも１つの伝送リソースブロックの占有可能な周波数領域範囲が右側の周辺斜線網掛け部以外の他のすべての周波数領域範囲であってもよいと決定する。図６における右側斜線網掛け部で示される周辺位置はＰＵＳＣＨの伝送に使用されないが、他の信号例えばＰＵＣＣＨを伝送してもよい。
【０１０４】
好ましくは、一実施例として、該リソース領域パラメータで示す少なくとも１つの伝送リソースブロックの占有可能な周波数領域範囲が連続しなくてもよい。例えば、該リソース領域パラメータで示す領域が複数の連続しない領域であってもよい。図７に示すように、該リソース領域パラメータで示す領域は２つの領域、すなわち図７における十字線網掛け部で示される領域１及び領域２を含んでもよく、つまり、少なくとも１つの伝送リソースブロックがいずれも該領域１及び領域２範囲内に属する。
【０１０５】
本願の実施例では、端末装置は該リソース領域パラメータに基づいてネットワーク装置によって割り当てられた複数の伝送リソースブロックのうちの少なくとも１つの伝送リソースブロックの占有可能な周波数領域範囲を決定してもよく、例えば、端末装置は周波数ホッピング方式でアップリンク伝送、例えばＰＵＳＣＨの伝送を行ってもよく、そうすると該少なくとも１つの伝送リソースブロックが少なくとも周波数ホッピング伝送すべき伝送リソースブロックを含む。
【０１０６】
具体的に、端末装置は従来技術における方式で周波数ホッピング伝送を行ってもよく、例えばネットワーク装置に構成された複数の伝送リソースブロックのうちのいずれか２つの隣接する伝送リソースブロックのうち、前の伝送リソースブロックの周波数領域位置が固定された後、周波数ホッピング関数に基づいて次の伝送リソースブロックの周波数領域位置を決定してもよい。該次の伝送リソースブロックが少なくとも１つの伝送リソースブロックに属し、つまり、該次の伝送リソースブロックの占有した周波数領域位置がリソース領域パラメータで示す少なくとも１つの伝送リソースブロックの占有可能な周波数領域範囲に属する。
【０１０７】
好ましくは、端末装置は更に上記方法１００及び方法２００における方式で該いずれか２つの隣接する伝送リソースブロック間の周波数領域オフセットを決定し、更に周波数ホッピング伝送を行ってもよく、ここで詳細な説明は省略する。
【０１０８】
理解すべきものは、端末装置がリソース領域パラメータで示す占有可能な周波数領域範囲を決定する場合、端末装置は該範囲から複数の伝送リソースブロックを決定して、該複数の伝送リソースブロックを利用してアップリンク伝送、例えばＰＵＳＣＨの伝送を行う。
【０１０９】
従って、本願の実施例のリソース構成方法によれば、端末装置はネットワーク装置によって割り当てられた複数の伝送リソースブロックのうちの少なくとも１つの伝送リソースブロックの占有可能な周波数領域範囲を示すためのリソース領域パラメータを決定し、更に該リソース領域パラメータで示す範囲から該複数の伝送リソースブロックを決定し、それにより該端末装置は該複数の伝送リソースブロックを利用してアップリンク伝送を行うことができ、伝送効率を向上させる。
【０１１０】
以上は図９を参照しながら端末装置の観点から本願の実施例に係るリソース構成方法を詳しく説明したが、以下に図１０を参照しながらネットワーク装置の観点から本願の実施例に係るリソース構成方法を説明する。
【０１１１】
図１０には本願の別の実施例に係るリソース構成方法４００のフローチャートを示し、該方法４００はネットワーク装置により実行されてもよい。図１０に示すように、該方法４００は、端末装置のリソース領域パラメータを決定することであって、該リソース領域パラメータが端末装置に割り当てた複数の伝送リソースブロックのうちの少なくとも１つの伝送リソースブロックの占有可能な周波数領域範囲を示すことに用いられるＳ４１０と、該端末装置へ該リソース領域パラメータを送信するＳ４２０と、を含む。
【０１１２】
好ましくは、該端末装置へ該リソース領域パラメータを送信することは、該端末装置へ構成メッセージを送信することを含み、該第２構成メッセージが該リソース領域パラメータを示すことに用いられ、該構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１１３】
好ましくは、該リソース領域パラメータで示す該少なくとも１つの伝送リソースブロックの占有可能な周波数領域範囲が連続しない。
【０１１４】
理解すべきものは、本願の実施例の方法４００におけるネットワーク装置は方法３００におけるネットワーク装置に対応してもよく、方法４００における端末装置は方法３００における端末装置に対応してもよく、ここで詳細な説明は省略する。
【０１１５】
従って、本願の実施例のリソース構成方法によれば、ネットワーク装置は端末装置に複数の伝送リソースブロックを割り当てて、該複数の伝送リソースブロックのうちの少なくとも１つの伝送リソースブロックの占有可能な周波数領域範囲を示すためのリソース領域パラメータを端末装置に送信し、それにより端末装置は該リソース領域パラメータで示す範囲から該複数の伝送リソースブロックを決定して、該複数の伝送リソースブロックを利用してアップリンク伝送を行うことができ、伝送効率を向上させる。
【０１１６】
理解すべきものは、本願の様々な実施例では、上記各プロセスの番号の順位は実行順序の前後を意味せず、各プロセスの実行順序はその機能及び内部論理によって決定されるべきであり、本願の実施例の実施プロセスを制限するためのものではない。
【０１１７】
また、本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【０１１８】
以上は図１〜図１０を参照しながら本願の実施例に係るリソース構成方法を詳しく説明したが、以下に図１１〜図１８を参照しながら本願の実施例に係る端末装置及びネットワーク装置を説明する。
【０１１９】
図１１に示すように、本願の実施例に係る端末装置５００は決定ユニット５１０を備え、好ましくは、更に受信ユニット５２０を備えてもよい。
【０１２０】
具体的に、決定ユニット５１０は、ネットワーク装置によって割り当てられた複数の伝送リソースブロックの周波数領域オフセットを決定することに用いられ、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであり、該決定ユニット５１０は、更に、該周波数領域オフセットに基づいて該複数の伝送リソースブロックを決定することに用いられる。
【０１２１】
好ましくは、該第１伝送リソースブロックが該複数の伝送リソースブロックのうちの時間順序で配列されている際の奇数番目の伝送リソースブロックであり、該第２伝送リソースブロックが時間領域において該第１伝送リソースブロックの後に位置する。
【０１２２】
好ましくは、該周波数領域オフセットが該第１伝送リソースブロックの周波数領域での開始位置と該第２伝送リソースブロックの周波数領域での開始位置との差である。
【０１２３】
好ましくは、該第１伝送リソースブロックと該第２伝送リソースブロックとがそれぞれ１つのサブフレーム又は１つのマイクロサブフレームを占有する。又は、該第１伝送リソースブロックが１つのサブフレームの第１部分を占有し、且つ該第２伝送リソースブロックが該１つのサブフレームの第２部分を占有する。又は、該第１伝送リソースブロックが１つのマイクロサブフレームの第１部分を占有し、且つ該第２伝送リソースブロックが該１つのマイクロサブフレームの第２部分を占有する。
【０１２４】
好ましくは、該受信ユニット５２０は、該ネットワーク装置から送信された該周波数領域オフセットを受信することに用いられる。
【０１２５】
好ましくは、該受信ユニット５２０は、具体的に、該ネットワーク装置から送信された第１構成メッセージを受信することに用いられ、該第１構成メッセージが該周波数領域オフセットを示すことに用いられ、該第１構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１２６】
好ましくは、該決定ユニット５１０は、更に、リソース領域パラメータを決定することに用いられ、該リソース領域パラメータが該複数の伝送リソースブロックのうちの少なくとも１つの伝送リソースブロックの占有可能な周波数領域範囲を示すことに用いられ、該少なくとも１つの伝送リソースブロックが該第１伝送リソースブロック又は該第２伝送リソースブロックを含む。
【０１２７】
好ましくは、該受信ユニット５２０は、該端末装置から送信された該リソース領域パラメータを受信することに用いられる。
【０１２８】
好ましくは、該受信ユニット５２０は、具体的に、該ネットワーク装置から送信された第２構成情報を受信することに用いられ、該第２構成メッセージが該リソース領域パラメータを示すことに用いられ、該第２構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１２９】
好ましくは、該リソース領域パラメータで示す該少なくとも１つの伝送リソースブロックの占有可能な周波数領域範囲が連続しない。
【０１３０】
理解すべきものは、本願の実施例に係る端末装置５００は本願の実施例の方法１００を実行するものに対応してもよく、且つ端末装置５００の各ユニットの上記及び他の操作及び／又は機能はそれぞれ図１〜図８における各方法における端末装置の対応プロセスを実現するためのものであり、簡潔のため、ここで詳細な説明は省略する。
【０１３１】
従って、本願の実施例の端末装置において、ネットワーク装置によって割り当てられた複数の伝送リソースブロックのうちのいずれか２つの隣接する伝送リソースブロック間の周波数領域オフセットを決定し、また、更に該複数の伝送リソースブロックのうちの少なくとも１つの伝送リソースブロックの占有可能な周波数領域範囲を決定して、該周波数領域オフセット及び該占有可能な周波数領域範囲に基づいて該複数の伝送リソースブロックの周波数領域位置を決定してもよく、このような構成方式は、ネットワーク装置のスケジューリングが容易になり、且つ該端末装置が周波数領域ダイバーシティ利得を取得できるとともに、伝送リソースの断片化も回避する。
【０１３２】
図１２に示すように、本願の実施例に係るネットワーク装置６００は決定ユニット６１０及び送信ユニット６２０を備える。
【０１３３】
具体的に、該決定ユニット６１０は、端末装置に割り当てた複数の伝送リソースブロックの周波数領域オフセットを決定することに用いられ、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであり、該送信ユニット６２０は、該端末装置へ該周波数領域オフセットを送信することに用いられる。
【０１３４】
好ましくは、該第１伝送リソースブロックが該複数の伝送リソースブロックのうちの時間順序で配列されている際の奇数番目の伝送リソースブロックであり、該第２伝送リソースブロックが時間領域において該第１伝送リソースブロックの後に位置する。
【０１３５】
好ましくは、該周波数領域オフセットが該第１伝送リソースブロックの周波数領域での開始位置と該第２伝送リソースブロックの周波数領域での開始位置との差である。
【０１３６】
好ましくは、該第１伝送リソースブロックと該第２伝送リソースブロックとがそれぞれ１つのサブフレーム又は１つのマイクロサブフレームを占有する。又は、該第１伝送リソースブロックが１つのサブフレームの第１部分を占有し、且つ該第２伝送リソースブロックが該１つのサブフレームの第２部分を占有する。又は、該第１伝送リソースブロックが１つのマイクロサブフレームの第１部分を占有し、且つ該第２伝送リソースブロックが該１つのマイクロサブフレームの第２部分を占有する。
【０１３７】
好ましくは、該送信ユニット６２０は、具体的に、該端末装置へ第１構成メッセージを送信することに用いられ、該第１構成メッセージが該周波数領域オフセットを示すことに用いられ、該第１構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１３８】
好ましくは、該送信ユニット６２０は、更に、該端末装置へリソース領域パラメータを送信することに用いられ、該リソース領域パラメータが該複数の伝送リソースブロックのうちの少なくとも１つの伝送リソースブロックの占有可能な周波数領域範囲を示すことに用いられ、該少なくとも１つの伝送リソースブロックが該第１伝送リソースブロック又は該第２伝送リソースブロックを含む。
【０１３９】
好ましくは、該送信ユニット６２０は、具体的に、該端末装置へ第２構成メッセージを送信することに用いられ、該第２構成メッセージが該リソース領域パラメータを示すことに用いられ、該第２構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１４０】
好ましくは、該リソース領域パラメータで示す該少なくとも１つの伝送リソースブロックの占有可能な周波数領域範囲が連続しない。
【０１４１】
理解すべきものは、本願の実施例に係るネットワーク装置６００は本願の実施例の方法２００を実行するものに対応してもよく、且つネットワーク装置６００の各ユニットの上記及び他の操作及び／又は機能はそれぞれ図１〜図８における各方法におけるネットワーク装置の対応プロセスを実現するためのものであり、簡潔のため、ここで詳細な説明は省略する。
【０１４２】
従って、本願の実施例のネットワーク装置において、端末装置のアップリンク伝送に複数の伝送リソースブロックを構成して、該端末装置へ該複数の伝送リソースブロックのうちのいずれか２つの隣接する伝送リソースブロック間の周波数領域オフセットを送信し、また、更に端末装置に該複数の伝送リソースブロックのうちの少なくとも１つの伝送リソースブロックの占有可能な周波数領域範囲を構成してもよく、それにより該端末装置は該周波数領域オフセット及び該占有可能な周波数領域範囲に基づいて該複数の伝送リソースブロックの周波数領域位置を決定することができ、これにより、ネットワーク装置の構成方式を容易にし、且つ該端末装置が周波数領域ダイバーシティ利得を取得できるとともに、伝送リソースの断片化も回避する。
【０１４３】
図１３に示すように、本願の実施例に係る端末装置７００は決定ユニット７１０を備え、好ましくは、更に受信ユニット７２０を備えてもよい。
【０１４４】
具体的に、該決定ユニット７１０は、ネットワーク装置によって割り当てられた複数の伝送リソースブロックのうちの少なくとも１つの伝送リソースブロックの占有可能な周波数領域範囲を示すためのリソース領域パラメータを決定することに用いられ、該決定ユニット７１０は、更に、該リソース領域パラメータに基づいて該複数の伝送リソースブロックを決定することに用いられる。
【０１４５】
好ましくは、該受信ユニット７２０は、該端末装置から送信された該リソース領域パラメータを受信することに用いられる。
【０１４６】
好ましくは、該受信ユニット７２０は、具体的に、該ネットワーク装置から送信された構成情報を受信することに用いられ、該構成メッセージが該リソース領域パラメータを示すことに用いられ、該構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１４７】
好ましくは、該リソース領域パラメータで示す該少なくとも１つの伝送リソースブロックの占有可能な周波数領域範囲が連続しない。
【０１４８】
理解すべきものは、本願の実施例に係る端末装置７００は本願の実施例の方法３００を実行するものに対応してもよく、且つ端末装置７００の各ユニットの上記及び他の操作及び／又は機能はそれぞれ図９〜図１０における各方法における端末装置の対応プロセスを実現するためのものであり、簡潔のため、ここで詳細な説明は省略する。
【０１４９】
従って、本願の実施例の端末装置において、ネットワーク装置によって割り当てられた複数の伝送リソースブロックのうちの少なくとも１つの伝送リソースブロックの占有可能な周波数領域範囲を示すためのリソース領域パラメータを決定し、更に該リソース領域パラメータで示す範囲から該複数の伝送リソースブロックを決定し、それにより該端末装置は該複数の伝送リソースブロックを利用してアップリンク伝送を行うことができ、伝送効率を向上させる。
【０１５０】
図１４に示すように、本願の実施例に係るネットワーク装置８００は決定ユニット８１０及び送信ユニット８２０を備える。
【０１５１】
具体的に、該決定ユニット８１０は、端末装置のリソース領域パラメータを決定することに用いられ、該リソース領域パラメータが端末装置に割り当てた複数の伝送リソースブロックのうちの少なくとも１つの伝送リソースブロックの占有可能な周波数領域範囲を示すことに用いられ、該送信ユニット８２０は、該端末装置へ該リソース領域パラメータを送信することに用いられる。
【０１５２】
好ましくは、該送信ユニット８２０は、具体的に、該端末装置へ構成メッセージを送信することに用いられ、該第２構成メッセージが該リソース領域パラメータを示すことに用いられ、該構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１５３】
好ましくは、該リソース領域パラメータで示す該少なくとも１つの伝送リソースブロックの占有可能な周波数領域範囲が連続しない。
【０１５４】
理解すべきものは、本願の実施例に係るネットワーク装置８００は本願の実施例の方法４００を実行するものに対応してもよく、且つネットワーク装置８００の各ユニットの上記及び他の操作及び／又は機能はそれぞれ図９〜図１０における各方法におけるネットワーク装置の対応プロセスを実現するためのものであり、簡潔のため、ここで詳細な説明は省略する。
【０１５５】
従って、本願の実施例のネットワーク装置において、端末装置に複数の伝送リソースブロックを割り当てて、該複数の伝送リソースブロックのうちの少なくとも１つの伝送リソースブロックの占有可能な周波数領域範囲を示すためのリソース領域パラメータを端末装置に送信し、それにより端末装置は該リソース領域パラメータで示す範囲から該複数の伝送リソースブロックを決定して、該複数の伝送リソースブロックを利用してアップリンク伝送を行うことができ、伝送効率を向上させる。
【０１５６】
図１５には本願の実施例に係る端末装置９００のブロック図を示し、図１５に示すように、該端末装置９００はプロセッサ９１０及び送受信機９２０を備え、プロセッサ９１０と送受信機９２０とが接続され、好ましくは、該端末装置９００は更にメモリ９３０を備え、メモリ９３０がプロセッサ９１０に接続される。プロセッサ９１０、メモリ９３０及び送受信機９２０が内部接続経路によって互いに通信し、データ信号を伝達及び／又は制御し、該メモリ９３０は命令を記憶することに用いられてもよく、送受信機９２０が情報又は信号を送信するように制御するために、該プロセッサ９１０は該メモリ９３０に記憶される命令を実行することに用いられ、該プロセッサ９１０は、ネットワーク装置によって割り当てられた複数の伝送リソースブロックの周波数領域オフセットを決定し、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであることと、該周波数領域オフセットに基づいて該複数の伝送リソースブロックを決定することとに用いられる。
【０１５７】
好ましくは、該第１伝送リソースブロックが該複数の伝送リソースブロックのうちの時間順序で配列されている際の奇数番目の伝送リソースブロックであり、該第２伝送リソースブロックが時間領域において該第１伝送リソースブロックの後に位置する。
【０１５８】
好ましくは、該周波数領域オフセットが該第１伝送リソースブロックの周波数領域での開始位置と該第２伝送リソースブロックの周波数領域での開始位置との差である。
【０１５９】
好ましくは、該第１伝送リソースブロックと該第２伝送リソースブロックとがそれぞれ１つのサブフレーム又は１つのマイクロサブフレームを占有する。又は、該第１伝送リソースブロックが１つのサブフレームの第１部分を占有し、且つ該第２伝送リソースブロックが該１つのサブフレームの第２部分を占有する。又は、該第１伝送リソースブロックが１つのマイクロサブフレームの第１部分を占有し、且つ該第２伝送リソースブロックが該１つのマイクロサブフレームの第２部分を占有する。
【０１６０】
好ましくは、該送受信機９２０は、該ネットワーク装置から送信された該周波数領域オフセットを受信することに用いられる。
【０１６１】
好ましくは、該送受信機９２０は、該ネットワーク装置から送信された第１構成メッセージを受信することに用いられ、該第１構成メッセージが該周波数領域オフセットを示すことに用いられ、該第１構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１６２】
好ましくは、該プロセッサ９１０は、リソース領域パラメータを決定することに用いられ、該リソース領域パラメータが該複数の伝送リソースブロックのうちの少なくとも１つの伝送リソースブロックの占有可能な周波数領域範囲を示すことに用いられ、該少なくとも１つの伝送リソースブロックが該第１伝送リソースブロック又は該第２伝送リソースブロックを含む。
【０１６３】
好ましくは、該送受信機９２０は、該端末装置から送信された該リソース領域パラメータを受信することに用いられる。
【０１６４】
好ましくは、該送受信機９２０は、該ネットワーク装置から送信された第２構成情報を受信することに用いられ、該第２構成メッセージが該リソース領域パラメータを示すことに用いられ、該第２構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１６５】
好ましくは、該リソース領域パラメータで示す該少なくとも１つの伝送リソースブロックの占有可能な周波数領域範囲が連続しない。
【０１６６】
理解すべきものは、本願の実施例に係る端末装置９００は本願の実施例の端末装置５００に対応してもよく、本願の実施例に係る方法１００を実行する対応主体に対応してもよく、且つ端末装置９００の各ユニットの上記及び他の操作及び／又は機能はそれぞれ図１〜図８における各方法における端末装置の対応プロセスを実現するためのものであり、簡潔のため、ここで詳細な説明は省略する。
【０１６７】
従って、本願の実施例の端末装置において、ネットワーク装置によって割り当てられた複数の伝送リソースブロックのうちのいずれか２つの隣接する伝送リソースブロック間の周波数領域オフセットを決定し、また、更に該複数の伝送リソースブロックのうちの少なくとも１つの伝送リソースブロックの占有可能な周波数領域範囲を決定して、該周波数領域オフセット及び該占有可能な周波数領域範囲に基づいて該複数の伝送リソースブロックの周波数領域位置を決定してもよく、このような構成方式は、ネットワーク装置のスケジューリングが容易になり、且つ該端末装置が周波数領域ダイバーシティ利得を取得できるとともに、伝送リソースの断片化も回避する。
【０１６８】
図１６には本願の実施例に係るネットワーク装置１０００のブロック図を示し、図１６に示すように、該ネットワーク装置１０００はプロセッサ１０１０及び送受信機１０２０を備え、プロセッサ１０１０と送受信機１０２０とが接続され、好ましくは、該ネットワーク装置１０００は更にメモリ１０３０を備え、メモリ１０３０がプロセッサ１０１０に接続される。プロセッサ１０１０、メモリ１０３０及び送受信機１０２０が内部接続経路によって互いに通信し、データ信号を伝達及び／又は制御し、該メモリ１０３０は命令を記憶することに用いられてもよく、送受信機１０２０が情報又は信号を送信するように制御するために、該プロセッサ１０１０は該メモリ１０３０に記憶される命令を実行することに用いられ、該プロセッサ１０１０は、端末装置に割り当てた複数の伝送リソースブロックの周波数領域オフセットを決定することに用いられ、該周波数領域オフセットが第１伝送リソースブロックと第２伝送リソースブロックとの間の周波数領域オフセットであり、該第１伝送リソースブロックと該第２伝送リソースブロックとが該複数の伝送リソースブロックのうちのいずれか２つの時間領域における隣接するリソースブロックであり、該送受信機１０２０は、該端末装置へ該周波数領域オフセットを送信することに用いられる。
【０１６９】
好ましくは、該第１伝送リソースブロックが該複数の伝送リソースブロックのうちの時間順序で配列されている際の奇数番目の伝送リソースブロックであり、該第２伝送リソースブロックが時間領域において該第１伝送リソースブロックの後に位置する。
【０１７０】
好ましくは、該周波数領域オフセットが該第１伝送リソースブロックの周波数領域での開始位置と該第２伝送リソースブロックの周波数領域での開始位置との差である。
【０１７１】
好ましくは、該第１伝送リソースブロックと該第２伝送リソースブロックとがそれぞれ１つのサブフレーム又は１つのマイクロサブフレームを占有する。又は、該第１伝送リソースブロックが１つのサブフレームの第１部分を占有し、且つ該第２伝送リソースブロックが該１つのサブフレームの第２部分を占有する。又は、該第１伝送リソースブロックが１つのマイクロサブフレームの第１部分を占有し、且つ該第２伝送リソースブロックが該１つのマイクロサブフレームの第２部分を占有する。
【０１７２】
好ましくは、該送受信機１０２０は、該端末装置へ第１構成メッセージを送信することに用いられ、該第１構成メッセージが該周波数領域オフセットを示すことに用いられ、該第１構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１７３】
好ましくは、該送受信機１０２０は、該端末装置へリソース領域パラメータを送信することに用いられ、該リソース領域パラメータが該複数の伝送リソースブロックのうちの少なくとも１つの伝送リソースブロックの占有可能な周波数領域範囲を示すことに用いられ、該少なくとも１つの伝送リソースブロックが該第１伝送リソースブロック又は該第２伝送リソースブロックを含む。
【０１７４】
好ましくは、該送受信機１０２０は、該端末装置へ第２構成メッセージを送信することに用いられ、該第２構成メッセージが該リソース領域パラメータを示すことに用いられ、該第２構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１７５】
好ましくは、該リソース領域パラメータで示す該少なくとも１つの伝送リソースブロックの占有可能な周波数領域範囲が連続しない。
【０１７６】
理解すべきものは、本願の実施例に係るネットワーク装置１０００は本願の実施例のネットワーク装置６００に対応してもよく、本願の実施例に係る方法２００を実行する対応主体に対応してもよく、且つネットワーク装置１０００の各ユニットの上記及び他の操作及び／又は機能はそれぞれ図１〜図８における各方法におけるネットワーク装置の対応プロセスを実現するためのものであり、簡潔のため、ここで詳細な説明は省略する。
【０１７７】
従って、本願の実施例のネットワーク装置において、端末装置のアップリンク伝送に複数の伝送リソースブロックを構成して、該端末装置へ該複数の伝送リソースブロックのうちのいずれか２つの隣接する伝送リソースブロック間の周波数領域オフセットを送信し、また、更に端末装置に該複数の伝送リソースブロックのうちの少なくとも１つの伝送リソースブロックの占有可能な周波数領域範囲を構成してもよく、それにより該端末装置は該周波数領域オフセット及び該占有可能な周波数領域範囲に基づいて該複数の伝送リソースブロックの周波数領域位置を決定することができ、これにより、ネットワーク装置の構成方式を容易にし、且つ該端末装置が周波数領域ダイバーシティ利得を取得できるとともに、伝送リソースの断片化も回避する。
【０１７８】
図１７には本願の実施例に係る端末装置１１００のブロック図を示し、図１７に示すように、該端末装置１１００はプロセッサ１１１０及び送受信機１１２０を備え、プロセッサ１１１０と送受信機１１２０とが接続され、好ましくは、該端末装置１１００は更にメモリ１１３０を備え、メモリ１１３０がプロセッサ１１１０に接続される。プロセッサ１１１０、メモリ１１３０及び送受信機１１２０が内部接続経路によって互いに通信し、データ信号を伝達及び／又は制御し、該メモリ１１３０は命令を記憶することに用いられてもよく、送受信機１１２０が情報又は信号を送信するように制御するために、該プロセッサ１１１０は該メモリ１１３０に記憶される命令を実行することに用いられ、該プロセッサ１１１０は、ネットワーク装置によって割り当てられた複数の伝送リソースブロックのうちの少なくとも１つの伝送リソースブロックの占有可能な周波数領域範囲を示すためのリソース領域パラメータを決定することと、該リソース領域パラメータに基づいて該複数の伝送リソースブロックを決定することとに用いられる。
【０１７９】
好ましくは、該送受信機１１２０は、該端末装置から送信された該リソース領域パラメータを受信することに用いられる。
【０１８０】
好ましくは、該送受信機１１２０は、該ネットワーク装置から送信された構成情報を受信することに用いられ、該構成メッセージが該リソース領域パラメータを示すことに用いられ、該構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１８１】
好ましくは、該リソース領域パラメータで示す該少なくとも１つの伝送リソースブロックの占有可能な周波数領域範囲が連続しない。
【０１８２】
理解すべきものは、本願の実施例に係る端末装置１１００は本願の実施例の端末装置７００に対応してもよく、本願の実施例に係る方法３００を実行する対応主体に対応してもよく、且つ端末装置１１００の各ユニットの上記及び他の操作及び／又は機能はそれぞれ図９〜図１０における各方法における端末装置の対応プロセスを実現するためのものであり、簡潔のため、ここで詳細な説明は省略する。
【０１８３】
従って、本願の実施例の端末装置において、ネットワーク装置によって割り当てられた複数の伝送リソースブロックのうちの少なくとも１つの伝送リソースブロックの占有可能な周波数領域範囲を示すためのリソース領域パラメータを決定し、更に該リソース領域パラメータで示す範囲から該複数の伝送リソースブロックを決定し、それにより該端末装置は該複数の伝送リソースブロックを利用してアップリンク伝送を行うことができ、伝送効率を向上させる。
【０１８４】
図１８には本願の実施例に係るネットワーク装置１２００のブロック図を示し、図１８に示すように、該ネットワーク装置１２００はプロセッサ１２１０及び送受信機１２２０を備え、プロセッサ１２１０と送受信機１２２０とが接続され、好ましくは、該ネットワーク装置１２００は更にメモリ１２３０を備え、メモリ１２３０がプロセッサ１２１０に接続される。プロセッサ１２１０、メモリ１２３０及び送受信機１２２０が内部接続経路によって互いに通信し、データ信号を伝達及び／又は制御し、該メモリ１２３０は命令を記憶することに用いられてもよく、送受信機１２２０が情報又は信号を送信するように制御するために、該プロセッサ１２１０は該メモリ１２３０に記憶される命令を実行することに用いられ、該プロセッサ１２１０は、端末装置のリソース領域パラメータを決定することに用いられ、該リソース領域パラメータが端末装置に割り当てた複数の伝送リソースブロックのうちの少なくとも１つの伝送リソースブロックの占有可能な周波数領域範囲を示すことに用いられ、該送受信機１２２０は、該端末装置へ該リソース領域パラメータを送信することに用いられる。
【０１８５】
好ましくは、該送受信機１２２０は、該端末装置へ構成メッセージを送信することに用いられ、該第２構成メッセージが該リソース領域パラメータを示すことに用いられ、該構成メッセージがネットワークブロードキャストメッセージ、ネットワークシステムメッセージ、ＲＲＣメッセージ、ＭＡＣ  ＣＥ及びＤＣＩのうちの少なくとも１つである。
【０１８６】
好ましくは、該リソース領域パラメータで示す該少なくとも１つの伝送リソースブロックの占有可能な周波数領域範囲が連続しない。
【０１８７】
理解すべきものは、本願の実施例に係るネットワーク装置１２００は本願の実施例のネットワーク装置８００に対応してもよく、本願の実施例に係る方法４００を実行する対応主体に対応してもよく、且つネットワーク装置１２００の各ユニットの上記及び他の操作及び／又は機能はそれぞれ図９〜図１０における各方法におけるネットワーク装置の対応プロセスを実現するためのものであり、簡潔のため、ここで詳細な説明は省略する。
【０１８８】
従って、本願の実施例のネットワーク装置において、端末装置に複数の伝送リソースブロックを割り当てて、該複数の伝送リソースブロックのうちの少なくとも１つの伝送リソースブロックの占有可能な周波数領域範囲を示すためのリソース領域パラメータを端末装置に送信し、それにより端末装置は該リソース領域パラメータで示す範囲から該複数の伝送リソースブロックを決定して、該複数の伝送リソースブロックを利用してアップリンク伝送を行うことができ、伝送効率を向上させる。
【０１８９】
注意すべきものは、本願の上記方法実施例はプロセッサに適用されてもよく、プロセッサにより実現されてもよい。プロセッサは信号処理機能を有する集積回路チップでありうる。実現プロセスにおいて、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１９０】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ：ｒｅａｄ−ｏｎｌｙ  ｍｅｍｏｒｙ）、プログラム可能読み出し専用メモリ（ＰＲＯＭ：ｐｒｏｇｒａｍｍａｂｌｅ  ＲＯＭ）、消去可能プログラム可能読み出し専用メモリ（ＥＰＲＯＭ：ｅｒａｓａｂｌｅ  ＰＲＯＭ）、電気的消去可能プログラム可能読み出し専用メモリ（ＥＥＰＲＯＭ：ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：ｒａｎｄｏｍ  ａｃｃｅｓｓ  ｍｅｍｏｒｙ）であってもよい。例示的な説明であって制限的ではないが、多くの形式のＲＡＭ、例えばスタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、シンクロナスダイナミックランダムアクセスメモリ（ＳＤＲＡＭ：ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型シンクロナスダイナミックランダムアクセスメモリ（ＥＳＤＲＡＭ：ｅｎｈａｎｃｅｄ  ＳＤＲＡＭ）、シンクリンクダイナミックランダムアクセスメモリ（ＳＬＤＲＡＭ：ｓｙｎｃｈｌｉｎｋ  ＤＲＡＭ）及びダイレクトラムバスランダムアクセスメモリ（ＤＲ  ＲＡＭ：ｄｉｒｅｃｔ  ｒａｍｂｕｓ  ＲＡＭ）が利用可能である。注意すべきものは、本明細書に説明されるシステム及び方法のメモリはこれらのメモリ及び任意の他の適切なタイプのメモリを含んでもよいが、それらに限らないように意図されるものである。
【０１９１】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１９２】
当業者であれば明確に理解できるように、説明を容易且つ簡単にするために、上記説明されるシステム、装置及びユニットの具体的な動作プロセスは、前述の方法実施例における対応プロセスを参照してもよく、ここで詳細な説明は省略する。
【０１９３】
本願に係るいくつかの実施例において、理解すべきものは、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１９４】
分離部材として説明される前記ユニットは物理的に分離してもよく、物理的に分離しなくてもよく、ユニットとして表示される部材は物理ユニットであってもよく、物理ユニットでなくてもよく、つまり、一箇所に位置してもよく、複数のネットワークユニットに構成されてもよい。実際の必要に応じて、その一部又は全部のユニットを選択して本実施例案の目的を実現してもよい。
【０１９５】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１９６】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、磁気ディスク又は光ディスク等のプログラムコードを記憶できる様々な媒体を含む。
【０１９７】
以上の説明は本願の具体的な実施形態であって、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021503210.tif 000003
【図２】
2021503210.tif 000004
【図３】
2021503210.tif 000005
【図４】
2021503210.tif 000006
【図５】
2021503210.tif 000007
【図６】
2021503210.tif 000008
【図７】
2021503210.tif 000009
【図８】
2021503210.tif 000010
【図９】
2021503210.tif 000011
【図１０】
2021503210.tif 000012
【図１１】
2021503210.tif 000013
【図１２】
2021503210.tif 000014
【図１３】
2021503210.tif 000015
【図１４】
2021503210.tif 000016
【図１５】
2021503210.tif 000017
【図１６】
2021503210.tif 000018
【図１７】
2021503210.tif 000019
【図１８】
2021503210.tif 000020
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
リソース構成方法であって、
ネットワーク装置によって割り当てられた複数の伝送リソースブロックの周波数領域オフセットを決定することであって、前記周波数領域オフセットが第１伝送リソースブロックと第２伝送リソースブロックとの間の周波数領域オフセットであり、前記第１伝送リソースブロックと前記第２伝送リソースブロックは、前記複数の伝送リソースブロックのうちのアップリンク伝送上の任意の２つの連続するリソースブロックであることと、
前記周波数領域オフセットに基づいて前記複数の伝送リソースブロックを決定することであって、前記複数の伝送リソースブロックは周波数ホッピング伝送のために構成されることと、を含むことを特徴とする、前記リソース構成方法。
【請求項２】
前記周波数ホッピング伝送は、物理アップリンク共有チャネル（ＰＵＳＣＨ）の周波数ホッピング伝送であることを特徴とする
請求項１に記載のリソース構成方法。
【請求項３】
前記周波数領域オフセットが前記第１伝送リソースブロックの周波数領域での開始位置と前記第２伝送リソースブロックの周波数領域での開始位置との差であることを特徴とする
請求項１又は２に記載のリソース構成方法。
【請求項４】
前記第１伝送リソースブロックと前記第２伝送リソースブロックとがそれぞれ１つのサブフレーム又は１つのマイクロサブフレームを占有し、又は
前記第１伝送リソースブロックが１つのサブフレームの第１部分を占有し、且つ前記第２伝送リソースブロックが前記１つのサブフレームの第２部分を占有し、又は
前記第１伝送リソースブロックが１つのマイクロサブフレームの第１部分を占有し、且つ前記第２伝送リソースブロックが前記１つのマイクロサブフレームの第２部分を占有することを特徴とする
請求項１〜３のいずれか１項に記載のリソース構成方法。
【請求項５】
ネットワーク装置によって割り当てられた複数の伝送リソースブロックの周波数領域オフセットを決定することは、
前記ネットワーク装置から送信された第１構成メッセージを受信することを含み、前記第１構成メッセージが前記周波数領域オフセットを示すことに用いられ、前記第１構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項１〜４のいずれか１項に記載のリソース構成方法。
【請求項６】
前記方法リソース構成方法は、更に、
リソース領域パラメータを決定することを含み、前記リソース領域パラメータが前記複数の伝送リソースブロックのうちの少なくとも１つの伝送リソースブロックの占有可能な周波数領域範囲を示すことに用いられ、前記少なくとも１つの伝送リソースブロックが前記第１伝送リソースブロック又は前記第２伝送リソースブロックを含み、
前記周波数領域オフセットに基づいて前記複数の伝送リソースブロックを決定することは、前記周波数領域オフセット及びリソース領域パラメータに基づいて前記複数の伝送リソースブロックを決定することを含むことを特徴とする
請求項１〜５のいずれか１項に記載のリソース構成方法。
【請求項７】
前記第２伝送リソースブロックの周波数領域がリソース領域パラメータによって示される周波数領域範囲を超える場合、前記第２伝送リソースブロックの周波数領域における前記周波数領域範囲を超えない周波数領域は、前記リソース領域パラメータによって示される周波数領域範囲内の第１周波数領域位置を占有し、前記第２伝送リソースブロックの周波数領域における前記周波数領域範囲を超える周波数領域は、前記リソース領域パラメータによって示される周波数領域範囲内の第２周波数領域位置を占有し、前記第１周波数領域位置と第２周波数領域位置は重畳しないことを特徴とする
請求項６に記載のリソース構成方法。
【請求項８】
リソース領域パラメータを決定することは、
前記ネットワーク装置から送信された第２構成情報を受信することを含み、前記第２構成メッセージが前記リソース領域パラメータを示すことに用いられ、前記第２構成メッセージがネットワークブロードキャストメッセージ、ネットワークシステムメッセージ、ＲＲＣメッセージ、ＭＡＣ  ＣＥ及びＤＣＩのうちの少なくとも１つであることを特徴とする
請求項７に記載のリソース構成方法。
【請求項９】
端末装置であって、
ネットワーク装置によって割り当てられた複数の伝送リソースブロックの周波数領域オフセットを決定するように構成される決定ユニットであって、前記周波数領域オフセットが第１伝送リソースブロックと第２伝送リソースブロックとの間の周波数領域オフセットであり、前記第１伝送リソースブロックと前記第２伝送リソースブロックは、前記複数の伝送リソースブロックのうちのアップリンク伝送上の任意の２つの連続するリソースブロックである決定ユニットを備え、
前記決定ユニットは更に、前記周波数領域オフセットに基づいて前記複数の伝送リソースブロックを決定するように構成され、前記複数の伝送リソースブロックは周波数ホッピング伝送のために構成されることを特徴とする、前記端末装置。
【請求項１０】
前記周波数ホッピング伝送は、物理アップリンク共有チャネル（ＰＵＳＣＨ）の周波数ホッピング伝送であることを特徴とする
請求項９に記載の端末装置。
【請求項１１】
前記周波数領域オフセットが前記第１伝送リソースブロックの周波数領域での開始位置と前記第２伝送リソースブロックの周波数領域での開始位置との差であることを特徴とする
請求項９又は１０に記載の端末装置。
【請求項１２】
前記第１伝送リソースブロックと前記第２伝送リソースブロックとがそれぞれ１つのサブフレーム又は１つのマイクロサブフレームを占有し、又は
前記第１伝送リソースブロックが１つのサブフレームの第１部分を占有し、且つ前記第２伝送リソースブロックが前記１つのサブフレームの第２部分を占有し、又は
前記第１伝送リソースブロックが１つのマイクロサブフレームの第１部分を占有し、且つ前記第２伝送リソースブロックが前記１つのマイクロサブフレームの第２部分を占有することを特徴とする
請求項９〜１１のいずれか１項に記載の端末装置。
【請求項１３】
前記端末装置は、更に、
前記ネットワーク装置から送信された前記周波数領域オフセットを受信するように構成される受信ユニットを備え、
前記受信ユニットは、具体的に、
前記ネットワーク装置から送信された第１構成メッセージを受信することに用いられ、前記第１構成メッセージが前記周波数領域オフセットを示すことに用いられ、前記第１構成メッセージがネットワークブロードキャストメッセージ、ネットワークシステムメッセージ、無線リソース制御（ＲＲＣ）メッセージ、媒体アクセス制御（ＭＡＣ）制御要素（ＣＥ）及びダウンリンク制御情報（ＤＣＩ）のうちの少なくとも１つであることを特徴とする
請求項９〜１２のいずれか１項に記載の端末装置。
【請求項１４】
前記決定ユニットは、更に、
リソース領域パラメータを決定することに用いられ、前記リソース領域パラメータが前記複数の伝送リソースブロックのうちの少なくとも１つの伝送リソースブロックの占有可能な周波数領域範囲を示すことに用いられ、前記少なくとも１つの伝送リソースブロックが前記第１伝送リソースブロック又は前記第２伝送リソースブロックを含み、
前記決定ユニットは更に、前記周波数領域オフセット及びリソース領域パラメータに基づいて前記複数の伝送リソースブロックを決定することに用いられることを特徴とする
請求項９〜１３のいずれか１項に記載の端末装置。
【請求項１５】
前記第２伝送リソースブロックの周波数領域がリソース領域パラメータによって示される周波数領域範囲を超える場合、前記第２伝送リソースブロックの周波数領域における前記周波数領域範囲を超えない周波数領域は、前記リソース領域パラメータによって示される周波数領域範囲内の第１周波数領域位置を占有し、前記第２伝送リソースブロックの周波数領域における前記周波数領域範囲を超える周波数領域は、前記リソース領域パラメータによって示される周波数領域範囲内の第２周波数領域位置を占有し、前記第１周波数領域位置と第２周波数領域位置は重畳しないことを特徴とする
請求項１４に記載の端末装置。
【国際調査報告】
2021503210.tif 000021
2021503210.tif 000022
2021503210.tif 000023
2021503210.tif 000024
2021503210.tif 000025
2021503210.tif 000026